(57)【特許請求の範囲】
【請求項１】
移動通信システム内で、異なる周波数バンドに属する第１キャリア及び第２キャリアを用いたキャリアアグリゲーションにより、ユーザ装置と無線通信する基地局装置であって、
前記ユーザ装置から送信される前記第１キャリアにおける上りリンク信号及び前記第２キャリアにおける上りリンク信号を受信するように構成されている上りリンク信号受信部と、
前記ユーザ装置に対して、前記第１キャリアにおける下りリンク信号及び前記第２キャリアにおける下りリンク信号を送信するように構成されている下りリンク信号送信部とを具備し、
前記下りリンク信号送信部は、前記上りリンク信号受信部が前記第１キャリアにおける上りリンク信号及び前記第２キャリアにおける上りリンク信号の同時受信を行うか否かに基づいて、前記第１キャリアにおける下りリンク信号の送信を行うか否かについて決定するように構成されていることを特徴とする基地局装置。
【請求項２】
前記下りリンク信号送信部は、
前記上りリンク信号受信部が前記第１キャリアにおける上りリンク信号及び前記第２キャリアにおける上りリンク信号の同時受信を行うタイムフレームにおいて、前記第１キャリアにおける下りリンク信号を送信しないように構成されており、
前記上りリンク信号受信部が前記第１キャリアにおける上りリンク信号及び前記第２キャリアにおける上りリンク信号の同時受信を行わないタイムフレームにおいて、前記第１キャリアにおける下りリンク信号を送信するように構成されている
ことを特徴とする請求項１に記載の基地局装置。
【請求項３】
前記第２キャリアにおける上りリンク信号は、上りリンクの共有チャネル信号、上りリンクのデータチャネル信号、上りリンクの制御チャネル信号、下りリンクのチャネル状態を通知する制御信号、下りリンクの共有チャネル信号の送達確認情報、スケジューリングリクエスト、サウンディング用のリファレンス信号、ランダムアクセスチャネル信号、Ｓｅｍｉ-ｐｅｒｓｉｓｔｅｎｔ  Ｓｃｈｅｄｕｌｉｎｇが適用される上りリンク信号の少なくとも１つであることを特徴とする請求項１または２に記載の基地局装置。
【請求項４】
前記第１キャリアにおける下りリンク信号は、下りリンクの共有チャネル信号、下りリンクのデータチャネル信号、下りリンクの制御チャネル信号、上りリンクの送信を指示する下りリンクの制御信号、下りリンクの送信を通知する下りリンクの制御信号、上りリンクの共有チャネル信号の送達確認情報、Ｓｅｍｉ-ｐｅｒｓｉｓｔｅｎｔ  Ｓｃｈｅｄｕｌｉｎｇが適用される下りリンク信号、ページング信号の少なくとも１つであることを特徴とする請求項１または２に記載の基地局装置。
【請求項５】
前記下りリンク信号送信部は、前記上りリンク信号受信部が前記第１キャリアにおける上りリンク信号及び前記第２キャリアにおける上りリンク信号の同時受信を行うか否かに加えて、前記第２キャリアにおける上りリンク信号の送信電力、送信帯域幅、変調方式、送信周波数、ＭＣＳレベル、所要のＳＩＲの少なくとも１つに基づいて、前記第１キャリアにおける下りリンク信号の送信を行うか否かについて決定するように構成されていることを特徴とする請求項１に記載の基地局装置。
【請求項６】
前記下りリンク信号送信部は、前記上りリンク信号受信部が前記第１キャリアにおける上りリンク信号及び前記第２キャリアにおける上りリンク信号の同時受信を行うか否かに加えて、前記ユーザ装置と前記基地局装置との間のパスロスに基づいて、前記第１キャリアにおける下りリンク信号の送信を行うか否かについて決定するように構成されていることを特徴とする請求項１に記載の基地局装置。
【発明の詳細な説明】
【技術分野】
【０００１】
本発明は、移動通信の技術分野に関連し、特に、次世代移動通信技術を用いる移動通信システムにおける基地局装置及び移動通信方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐａｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐａｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が進められている。
【０００３】
ＬＴＥ方式での無線アクセス方式として、下りリンクについては直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が規定され、上りリンクについてはシングルキャリア周波数分割多重接続（ＳＣ-ＦＤＭＡ：Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が規定されている。【０００４】
ＯＦＤＭＡ方式は、周波数帯域を複数の狭い周波数帯域（サブキャリア）に分割し、各サブキャリアにデータを載せて伝送を行うマルチキャリア伝送方式である。ＯＦＤＭＡ方式によれば、サブキャリアを周波数軸上に直交させながら密に並べることで高速伝送を実現し、周波数の利用効率を上げることが期待できる。【０００５】
ＳＣ-ＦＤＭＡ方式は、周波数帯域をユーザ装置毎に分割し、複数のユーザ装置間で異なる周波数帯域を用いて伝送するシングルキャリア伝送方式である。ＳＣ-ＦＤＭＡ方式によれば、ユーザ装置間の干渉を簡易且つ効果的に低減することができることに加えて送信電力の変動を小さくできるので、ＳＣ-ＦＤＭＡ方式は、ユーザ装置の低消費電力化及びカバレッジの拡大等の観点から好ましい。【０００６】
ＬＴＥ方式では、下りリンク及び上りリンクの両方において、ユーザ装置に対して１つ以上のリソースブロック（ＲＢ：Ｒｅｓｏｕｒｃｅ  Ｂｌｏｃｋ）が割り当てられて通信が行われる。【０００７】
基地局装置は、サブフレーム（ＬＴＥ方式では、１ｍｓ）毎に、複数のユーザ装置の中で、どのユーザ装置に対してリソースブロックを割り当てるかについて決定する（かかるプロセスは「スケジューリング」と呼ばれる）。【０００８】
下りリンクにおいては、基地局装置が、スケジューリングで選択されたユーザ装置に対して、１以上のリソースブロックを用いて共有チャネル信号を送信し、上りリンクにおいては、スケジューリングで選択されたユーザ装置が、基地局装置に対して、１以上のリソースブロックを用いて共有チャネル信号を送信する。【０００９】
なお、かかる共有チャネル信号は、上りリンクにおいては、ＰＵＳＣＨ（Ｐｈｙｓｉｃａｌ  Ｕｐｌｉｎｋ  Ｓｈａｒｅｄ  Ｃｈａｎｎｅｌ）上の信号であり、下りリンクにおいては、ＰＤＳＣＨ（Ｐｈｙｓｉｃａｌ  Ｄｏｗｎｌｉｎｋ  Ｓｈａｒｅｄ  Ｃｈａｎｎｅｌ）上の信号である。【００１０】
また、ＬＴＥ方式の後継の通信方式として、ＬＴＥ-ａｄｖａｎｃｅｄ方式が、３ＧＰＰで検討されている。【００１１】
ＬＴＥ-ａｄｖａｎｃｅｄ方式では、その要求条件として、「Ｃａｒｒｉｅｒ  ａｇｇａｒｅｇａｔｉｏｎ（キャリアアグリゲーション）」を行うことが合意されている。ここで、「Ｃａｒｒｉｅｒ  ａｇｇｒｅｇａｔｉｏｎ」とは、複数のキャリアを用いて同時に通信を行うことを意味する。【００１２】
例えば、上りリンクにおいて「Ｃａｒｒｉｅｒ  ａｇｇｒｅｇａｔｉｏｎ」が行われる場合、ユーザ装置は、Ｃｏｍｐｏｎｅｎｔ  Ｃａｒｒｉｅｒ毎に異なるキャリアを用いて送信を行うため、複数のキャリアを用いて上りリンク信号を送信する。【００１３】
また、下りリンクにおいて「Ｃａｒｒｉｅｒ  ａｇｇｒｅｇａｔｉｏｎ」が行われる場合、基地局装置は、Ｃｏｍｐｏｎｅｎｔ  Ｃａｒｒｉｅｒ毎に異なるキャリアを用いて送信を行うため、複数のキャリアを用いて下りリンク信号を送信する。【００１４】
ところで、上りリンクの周波数と下りリンクの周波数とが異なるＦＤＤ（Ｆｒｅｑｕｅｎｃｙ  Ｄｉｖｉｓｉｏｎ  Ｄｕｐｌｅｘ）方式の通信システムでは、ユーザ装置は、Ｄｕｐｌｅｘｅｒと呼ばれるデバイスを有する。【００１５】
かかるＤｕｐｌｅｘｅｒとは、ＦＤＤ方式の無線機において、アンテナを共用する部品であり、アンテナ共用器や分波器と呼ばれることもある。【００１６】
一般に、送信及び受信を同時に行うＦＤＤ方式の無線機においては、送信アンテナ及び受信アンテナを１本のアンテナで共用した場合、強力な送信波が受信機に流入し、受信品質を劣化させるという問題が存在する。【００１７】
Ｄｕｐｌｅｘｅｒは、送信波の不要な部分の次段回路への伝播を防ぎ、受信機への流入による受信品質の劣化を回避し、また、当該不要波を、アンテナを通じて空間に放射しないため、さらには希望する周波数の信号だけを取り出すためのデバイスであり、送信経路と受信経路とを電気的に分離する機能を有する。【００１８】
より具体的には、Ｄｕｐｌｅｘｅｒは、２つの異なる周波数帯域を持つフィルタを１つの端子（アンテナ端子）で共有することで、上述の機能を実現する。【００１９】
図５に、かかるＤｕｐｌｅｘｅｒのイメージ図を示す。【００２０】
しかしながら、上述した従来の移動通信システムには、以下のような問題点がある。【００２１】
上述したように、ＬＴＥ-Ａｄｖａｎｃｅｄ方式では、「Ｃａｒｒｉｅｒ  ａｇｇｒｅｇａｔｉｏｎ」が行われる。この場合、上述した、送信信号が受信信号の品質を劣化させるという問題が生じる場合が存在する。【００２２】
例えば、図６に、「Ｃａｒｒｉｅｒ  ａｇｇｒｅｇａｔｉｏｎ」を行った場合の、ユーザ装置による上りリンクにおける送信及び下りリンクにおける受信の様子について示す。【００２３】
図６に示すように、ユーザ装置内の第２キャリアのＤｕｐｌｅｘｅｒは、第１キャリアの下りリンクの周波数帯域を考慮していないため、当該ユーザ装置において第２キャリアにおける上りリンク信号の送信と第１キャリアにおける下りリンク信号の受信とが同時に行われた場合、第２キャリアにおける上りリンク信号は、第１キャリアにおける下りリンク信号の受信品質を劣化させるという問題が存在する。
【発明の概要】
【００２４】
そこで、本発明は、上述の課題に鑑みてなされたものであり、マルチキャリア伝送を行う場合の、下りリンク信号の劣化を低減することのできる基地局装置及び移動通信方法を提供することを目的とする。
【００２５】
本発明の第１の特徴は、移動通信システム内で、第１キャリア及び第２キャリアを用いて、ユーザ装置と無線通信する基地局装置であって、前記ユーザ装置から送信される前記第１キャリアにおける上りリンク信号及び前記第２キャリアにおける上りリンク信号を受信するように構成されている上りリンク信号受信部と、前記ユーザ装置に対して、前記第１キャリアにおける下りリンク信号及び前記第２キャリアにおける下りリンク信号を送信するように構成されている下りリンク信号送信部とを具備し、前記下りリンク信号送信部は、前記上りリンク信号受信部が前記第２キャリアにおける上りリンク信号を受信するか否かに基づいて、前記第１キャリアにおける下りリンク信号の送信を行うか否かについて決定するように構成されていることを要旨とする。
【００２６】
本発明の第２の特徴は、移動通信システム内で、第１キャリア及び第２キャリアを用いて、ユーザ装置と無線通信する基地局装置であって、前記ユーザ装置から送信される前記第１キャリアにおける上りリンク信号及び前記第２キャリアにおける上りリンク信号を受信するように構成されている上りリンク信号受信部と、前記ユーザ装置に対して、前記第１キャリアにおける下りリンク信号及び前記第２キャリアにおける下りリンク信号を送信するように構成されている下りリンク信号送信部とを具備し、前記下りリンク信号送信部は、前記上りリンク信号受信部が前記第２キャリアにおける上りリンク信号を受信するか否かに基づいて、前記第１キャリアにおける下りリンク信号及び前記第２キャリアにおける下りリンク信号の同時送信を行うか否かについて決定するように構成されていることを要旨とする。
【００２７】
本発明の第３の特徴は、移動通信システム内で、第１キャリア及び第２キャリアを用いて、ユーザ装置と無線通信する基地局装置であって、前記ユーザ装置から送信される前記第１キャリアにおける上りリンク信号及び前記第２キャリアにおける上りリンク信号を受信するように構成されている上りリンク信号受信部と、前記ユーザ装置に対して、前記第１キャリアにおける下りリンク信号及び前記第２キャリアにおける下りリンク信号を送信するように構成されている下りリンク信号送信部とを具備し、前記下りリンク信号送信部は、前記上りリンク信号受信部が前記第１キャリアにおける上りリンク信号及び前記第２キャリアにおける上りリンク信号の同時受信を行うか否かに基づいて、前記第１キャリアにおける下りリンク信号の送信を行うか否かについて決定するように構成されていることを要旨とする。
【００２８】
本発明の第４の特徴は、移動通信システム内で、第１キャリア及び第２キャリアを用いて、ユーザ装置と基地局装置との間で無線通信を行う移動通信方法であって、前記ユーザ装置から送信される前記第１キャリアにおける上りリンク信号及び前記第２キャリアにおける上りリンク信号を受信する工程Ａと、前記ユーザ装置に対して、前記第１キャリアにおける下りリンク信号及び前記第２キャリアにおける下りリンク信号を送信する工程Ｂとを有し、前記工程Ｂにおいて、前記工程Ａにおいて前記第２キャリアにおける上りリンク信号を受信するか否かに基づいて、前記第１キャリアにおける下りリンク信号の送信を行うか否かについて決定することを要旨とする。
【００２９】
本発明の第５の特徴は、移動通信システム内で、第１キャリア及び第２キャリアを用いて、ユーザ装置と無線通信する基地局装置であって、前記ユーザ装置に対して、前記第１キャリアにおける上りリンク信号及び前記第２キャリアにおける上りリンク信号の送信指示を行うように構成されている上りリンク送信指示部と、前記ユーザ装置から送信される前記第１キャリアにおける上りリンク信号及び前記第２キャリアにおける上りリンク信号を受信するように構成されている上りリンク信号受信部と、前記ユーザ装置に対して、前記第１キャリアにおける下りリンク信号及び前記第２キャリアにおける下りリンク信号を送信するように構成されている下りリンク信号送信部とを具備し、前記上りリンク送信指示部は、前記下りリンク信号送信部が前記第１キャリアにおける下りリンク信号を送信するか否かに基づいて、前記第２キャリアにおける上りリンク信号の送信指示を行うか否かについて決定するように構成されていることを要旨とする。
【００３０】
本発明の第６の特徴は、移動通信システム内で、第１キャリア及び第２キャリアを用いて、ユーザ装置と無線通信する基地局装置であって、前記ユーザ装置に対して、前記第１キャリアにおける上りリンク信号及び前記第２キャリアにおける上りリンク信号の送信指示を行うように構成されている上りリンク送信指示部と、前記ユーザ装置から送信される前記第１キャリアにおける上りリンク信号及び前記第２キャリアにおける上りリンク信号を受信するように構成されている上りリンク信号受信部と、前記ユーザ装置に対して、前記第１キャリアにおける下りリンク信号及び前記第２キャリアにおける下りリンク信号を送信するように構成されている下りリンク信号送信部とを具備し、前記上りリンク送信指示部は、前記下りリンク信号送信部が前記第１キャリアにおける下りリンク信号を送信するか否かに基づいて、前記第１キャリアにおける上りリンク信号及び前記第２キャリアにおける上りリンク信号の同時送信を指示するか否かについて決定するように構成されていることを要旨とする。
【００３１】
本発明の第７の特徴は、移動通信システム内で、第１キャリア及び第２キャリアを用いて、ユーザ装置と無線通信する基地局装置であって、前記ユーザ装置に対して、前記第１キャリアにおける上りリンク信号及び前記第２キャリアにおける上りリンク信号の送信を指示するように構成されている上りリンク送信指示部と、前記ユーザ装置から送信される前記第１キャリアにおける上りリンク信号及び前記第２キャリアにおける上りリンク信号を受信するように構成されている上りリンク信号受信部と、前記ユーザ装置に対して、前記第１キャリアにおける下りリンク信号及び前記第２キャリアにおける下りリンク信号を送信するように構成されている下りリンク信号送信部とを具備し、前記上りリンク送信指示部は、前記下りリンク信号送信部が前記第１キャリアにおける下りリンク信号及び前記第２キャリアにおける下りリンク信号の同時送信を行うか否かに基づいて、前記第２キャリアにおける上りリンク信号の送信指示を行うか否かについて決定するように構成されていることを要旨とする。
【００３２】
本発明の第８の特徴は、移動通信システム内で、第１キャリア及び第２キャリアを用いて、ユーザ装置と基地局装置との間で無線通信を行う移動通信方法であって、前記ユーザ装置に対して、前記第１キャリアにおける上りリンク信号及び前記第２キャリアにおける上りリンク信号の送信指示を行う工程Ａと、前記ユーザ装置から送信される前記第１キャリアにおける上りリンク信号及び前記第２キャリアにおける上りリンク信号を受信する工程Ｂと、前記ユーザ装置に対して、前記第１キャリアにおける下りリンク信号及び前記第２キャリアにおける下りリンク信号を送信する工程Ｃとを有し、前記工程Ａにおいて、前記工程Ｃにおいて前記第１キャリアにおける下りリンク信号を送信するか否かに基づいて、前記第２キャリアにおける上りリンク信号の送信指示を行うか否かについて決定することを要旨とする。
【図面の簡単な説明】
【００３３】
【図１】本発明の第１の実施形態に係る移動通信システムの全体構成図である。
【図２】本発明の第１の実施形態に係る基地局装置の機能ブロック図である。
【図３】本発明の第１の実施形態に係るユーザ装置の機能ブロック図である。
【図４】本発明の第１の実施形態に係る移動通信システムの動作を示すシーケンス図である。
【図５】従来の係る移動通信システムの問題点を説明するための図である。
【図６】従来の係る移動通信システムの問題点を説明するための図である。
【図７】本発明の第１の実施形態に係る移動通信システムにおいて移動局によるＣａｒｒｉｅｒ  ａｇｇｒｅｇａｔｉｏｎのＣａｐａｂｉｌｉｔｙの通知方法を説明するための図である。
【図８】本発明の第１の実施形態に係る移動通信システムにおいて移動局によるＣａｒｒｉｅｒ  ａｇｇｒｅｇａｔｉｏｎのＣａｐａｂｉｌｉｔｙの通知方法を説明するための図である。
【図９】本発明の第１の実施形態に係る移動通信システムにおいて移動局によって通知される同時に通信可能なキャリアの情報等の通知方法を説明するための図である。
【図１０】本発明の第１の実施形態に係る移動通信システムにおいて移動局によって通知される同時に通信可能なキャリアの情報等の通知方法を説明するための図である。
【図１１】本発明の第１の実施形態に係る移動通信システムの動作を示すフローチャートである。
【図１２】本発明の第１の実施形態に係る移動通信システムの動作を示すフローチャートである。
【図１３】本発明の第１の実施形態に係る移動通信システムの動作を示すフローチャートである。
【図１４】本発明の第１の実施形態に係る移動通信システムの動作を示すフローチャートである。
【図１５】本発明の第１の実施形態に係る移動通信システムの動作を示すフローチャートである。
【図１６】本発明の第１の実施形態に係る移動通信システムの動作を示すフローチャートである。
【図１７】本発明の第１の実施形態に係る移動通信システムの動作を示すフローチャートである。
【図１８】本発明の第１の実施形態に係る移動通信システムの動作を示すフローチャートである。
【図１９】本発明の第１の実施形態に係る移動通信システムの動作を示すフローチャートである。
【図２０】本発明の第１の実施形態に係る移動通信システムの動作を示すフローチャートである。
【発明を実施するための形態】
【００３４】
（本発明の第１の実施形態に係る移動通信システムの構成）
図１乃至図３を参照して、本発明の第１の実施形態に係る移動通信システムの構成について説明する。
【００３５】
本実施形態に係る移動通信システムは、ＬＴＥ-ａｄｖｅｎｃｅｄ方式の移動通信システムであり、上述の「Ｃａｒｒｉｅｒ  ａｇｇｒｅｇａｔｉｏｎ」が適用可能であるように構成されている。
【００３６】
本実施形態に係る移動通信システムでは、複数のキャリア（周波数バンド）を用いて、例えば、図６に示すように、第１キャリア及び第２キャリアを用いて、ユーザ装置ＵＥと基地局装置ｅＮＢとの間で無線通信が行われるように構成されている。
【００３７】
なお、本明細書では、第１キャリアの下りリンク信号と第２キャリアにおける上りリンク信号とが互いに干渉し合うケースを例に挙げて説明する。すなわち、本明細書の例においては、第２キャリアにおける上りリンク信号は、第１キャリアの下りリンク信号に対して、干渉を与える。本発明は、かかるケース以外のケースにも適用可能である。例えば、本発明は、３以上のキャリアが存在しており、複数のキャリア間で互いに干渉し合うケースにも適用可能である。
【００３８】
また、図６に示す第１キャリア及び第２キャリアの周波数方向の位置関係は一例であり、図６に示す以外の周波数方向の位置関係であってもよい。
【００３９】
また、本実施形態に係る移動通信システムでは、第１キャリアにおける上りリンク信号は、第１キャリアにおける下り信号や第２キャリアにおける下り信号に対しては干渉の影響を与えないものとする。
【００４０】
本実施形態に係る移動通信システムでは、図１に示すように、上りリンクにおいて、例えば、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）上で制御信号が送信され、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）上でデータ信号が送信されるように構成されている。
【００４１】
また、本実施形態に係る移動通信システムでは、図１に示すように、例えば、下りリンクにおいて、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）上で制御信号が送信され、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）上でデータ信号が送信されるように構成されている。
【００４２】
図２に示すように、本実施形態に係る基地局装置ｅＮＢは、下りリンクリソース割り当て部１１と、上りリンクリソース割り当て部１２と、制御信号受信部１３と、同時通信指示部１４と、下りリンク信号送信部１５と、上りリンク送信指示部１６と、上りリンク信号受信部１７と、測定（メジャメント）指示部１８とを具備している。
【００４３】
下りリンクリソース割り当て部１１は、ユーザ装置ＵＥに対して、下りリンク信号のための無線リソースを割り当てるように構成されている。
【００４４】
なお、下りリンクリソース割り当て部１１により割り当てられた、前記下りリンク信号のための無線リソースは、物理レイヤ、ＭＡＣレイヤ又はＲＲＣレイヤのシグナリングにより、ユーザ装置ＵＥに対して通知されてもよい。
【００４５】
ここで、下りリンク信号は、下りリンクの共有チャネル信号、下りリンクのデータチャネル信号、下りリンクの制御チャネル信号、上りリンクの送信を指示する下りリンクの制御信号、下りリンクの送信を通知する下りリンクの制御信号、上りリンクの共有チャネル信号の送達確認情報、Ｓｅｍｉ-ｐｅｒｓｉｓｔｅｎｔ  Ｓｃｈｅｄｕｌｉｎｇが適用される下りリンク信号、Ｓｅｍｉ-ｐｅｒｓｉｓｔｅｎｔ  Ｓｃｈｅｄｕｌｉｎｇが適用される上りリンクの信号の送達確認情報、ページング信号、個別制御チャネル（ＤＣＣＨ：Ｄｅｄｉｃａｔｅｄ  Ｃｏｎｔｒｏｌ  Ｃｈａｎｎｅｌ（ＤＣＣＨ））の少なくとも１つであってもよい。
【００４６】
より具体的には、下りリンクリソース割り当て部１１は、第２キャリアにおいて、下りリンクの共有チャネル信号又は下りリンクのデータチャネル信号のための無線リソースを割り当てるように構成されていてもよい。
【００４７】
ここで、第２キャリアにおいて、下りリンクの制御チャネル信号のための無線リソースを割り当てるとは、第２キャリアにおいて、下りリンクの共有チャネル信号又は下りリンクのデータチャネル信号を送信するという意味であってもよい。
【００４８】
この場合、第１キャリア及び第２キャリアを用いてユーザ装置ＵＥと基地局装置ｅＮＢとの間で無線通信が行われる場合にも、下りリンクの共有チャネル信号又は下りリンクのデータチャネル信号は、第２キャリアで送信される。
【００４９】
より具体的には、下りリンクリソース割り当て部１１は、第２キャリアにおいて、下りリンクの制御チャネル信号（ＰＤＣＣＨ：Ｐｈｙｓｉｃａｌ  Ｄｏｗｎｌｉｎｋ  Ｃｏｎｔｒｏｌ  Ｃｈａｎｎｅｌ）のための無線リソースを割り当てるように構成されていてもよい。ここで、第２キャリアにおいて、下りリンクの制御チャネル信号のための無線リソースを割り当てるとは、第２キャリアにおいて、下りリンクの制御チャネル信号を送信するという意味であってもよい。この場合、第１キャリアと第２キャリアを用いてユーザ装置ＵＥと基地局装置ｅＮＢとの間で無線通信が行われる場合にも、下りリンクの制御チャネル信号は、第２キャリアで送信される。尚、前記下りリンクの制御チャネル信号には、上りリンクの送信を指示する下りリンクの制御信号または下りリンクの送信を通知する下りリンクの制御信号が含まれてもよい。
【００５０】
より具体的には、下りリンクリソース割り当て部１１は、第２キャリアにおいて、上りリンクの共有チャネル信号の送達確認情報のための無線リソースを割り当てるように構成されていてもよい。
【００５１】
ここで、第２キャリアにおいて、上りリンクの共有チャネル信号の送達確認情報のための無線リソースを割り当てるとは、第２キャリアにおいて、上りリンクの共有チャネル信号の送達確認情報を送信するという意味であってもよい。
【００５２】
この場合、第１キャリア及び第２キャリアを用いてユーザ装置ＵＥと基地局装置ｅＮＢとの間で無線通信が行われる場合にも、上りリンクの共有チャネル信号の送達確認情報は、第２キャリアで送信される。
【００５３】
より具体的には、下りリンクリソース割り当て部１１は、第２キャリアにおいて、Ｓｅｍｉ-ｐｅｒｓｉｓｔｅｎｔ  Ｓｃｈｅｄｕｌｉｎｇが適用される下りリンク信号のための無線リソースを割り当てるように構成されていてもよい。
【００５４】
ここで、第２キャリアにおいて、Ｓｅｍｉ-ｐｅｒｓｉｓｔｅｎｔ  Ｓｃｈｅｄｕｌｉｎｇが適用される下りリンク信号のための無線リソースを割り当てるとは、第２キャリアにおいて、Ｓｅｍｉ-ｐｅｒｓｉｓｔｅｎｔ  Ｓｃｈｅｄｕｌｉｎｇが適用される下りリンク信号を送信するという意味であってもよい。
【００５５】
この場合、第１キャリア及び第２キャリアを用いてユーザ装置ＵＥと基地局装置ｅＮＢとの間で無線通信が行われる場合にも、Ｓｅｍｉ-ｐｅｒｓｉｓｔｅｎｔ  Ｓｃｈｅｄｕｌｉｎｇが適用される下りリンク信号は、第２キャリアで送信される。
【００５６】
より具体的には、下りリンクリソース割り当て部１１は、第２キャリアにおいて、Ｓｅｍｉ-ｐｅｒｓｉｓｔｅｎｔ  Ｓｃｈｅｄｕｌｉｎｇが適用される上りリンクの信号の送達確認情報のための無線リソースを割り当てるように構成されていてもよい。
【００５７】
ここで、第２キャリアにおいて、Ｓｅｍｉ-ｐｅｒｓｉｓｔｅｎｔ  Ｓｃｈｅｄｕｌｉｎｇが適用される上りリンクの信号の送達確認情報のための無線リソースを割り当てるとは、第２キャリアにおいて、Ｓｅｍｉ-ｐｅｒｓｉｓｔｅｎｔ  Ｓｃｈｅｄｕｌｉｎｇが適用される上りリンクの信号の送達確認情報を送信するという意味であってもよい。
【００５８】
この場合、第１キャリア及び第２キャリアを用いてユーザ装置ＵＥと基地局装置ｅＮＢとの間で無線通信が行われる場合にも、Ｓｅｍｉ-ｐｅｒｓｉｓｔｅｎｔ  Ｓｃｈｅｄｕｌｉｎｇが適用される上りリンクの信号の送達確認情報は、第２キャリアで送信される。
【００５９】
より具体的には、下りリンクリソース割り当て部１１は、第２キャリアにおいて、ページング信号のための無線リソースを割り当てるように構成されていてもよい。
【００６０】
ここで、第２キャリアにおいて、ページング信号のための無線リソースを割り当てるとは、第２キャリアにおいて、ページング信号を送信するという意味であってもよい。
【００６１】
この場合、第１キャリア及び第２キャリアを用いてユーザ装置ＵＥと基地局装置ｅＮＢとの間で無線通信が行われる場合にも、ページング信号は、第２キャリアで送信される。
【００６２】
より具体的には、下りリンクリソース割り当て部１１は、第２キャリアにおいて、個別制御チャネル（ＤＣＣＨ：Ｄｅｄｉｃａｔｅｄ  Ｃｏｎｔｒｏｌ  Ｃｈａｎｎｅｌ（ＤＣＣＨ））のための無線リソースを割り当てるように構成されていてもよい。
【００６３】
ここで、第２キャリアにおいて、個別制御チャネルのための無線リソースを割り当てるとは、第２キャリアにおいて、個別制御チャネルを送信するという意味であってもよい。
【００６４】
この場合、第１キャリア及び第２キャリアを用いてユーザ装置ＵＥと基地局装置ｅＮＢとの間で無線通信が行われる場合にも、個別制御チャネルは、第２キャリアで送信される。
【００６５】
上述したように、下りリンク信号の無線リソースを、第２キャリアの上りリンク信号からの悪影響を受けない第２キャリアにおいて割り当てることにより、第２キャリアの上りリンク信号が、第１キャリアの下りリンク信号の受信特性を劣化させるという問題を回避することが可能となる。
【００６６】
また、例えば、下りリンクリソース割り当て部１１は、第１キャリア及び第２キャリアの同時通信を行うことができるユーザ装置ＵＥ（すなわち、「Ｃａｒｒｉｅｒ  ａｇｇｒｅｇａｔｉｏｎ」の「Ｃａｐａｂｉｌｉｔｙ（能力）」を有するユーザ装置ＵＥ）に対して、第２キャリアにおいて下りリンク信号のための無線リソースを割り当てるように構成されており、第１キャリア及び第２キャリアの同時通信を行うことができないユーザ装置ＵＥ（すなわち、「Ｃａｒｒｉｅｒ  ａｇｇｒｅｇａｔｉｏｎ」の「Ｃａｐａｂｉｌｉｔｙ（能力）」を持たないユーザ装置ＵＥ）に対して、第１キャリアにおいて下りリンクの信号のための無線リソースを割り当てるように構成されていてもよい。
【００６７】
なお、前記Ｃａｒｒｉｅｒ  ａｇｇｒｅｇａｔｉｏｎのＣａｐａｂｉｌｉｔｙは、ユーザ装置ＵＥから通知されてもよい。この場合、前記Ｃａｒｒｉｅｒ  ａｇｇｒｅｇａｔｉｏｎのＣａｐａｂｉｌｉｔｙは、ユーザ装置ＵＥから制御信号受信部１３経由で下りリンクリソース割り当て部１１に通知されてもよい。
【００６８】
前記Ｃａｒｒｉｅｒ  ａｇｇｒｅｇａｔｉｏｎのＣａｐａｂｉｌｉｔｙは、後述するように、図７又は図８のような構成で、ユーザ装置ＵＥから通知されてもよい。
【００６９】
より具体的には、下りリンクリソース割り当て部１１は、第１キャリア及び第２キャリアの同時通信を行うことができるユーザ装置ＵＥ（すなわち、「Ｃａｒｒｉｅｒ  ａｇｇｒｅｇａｔｉｏｎ」の「Ｃａｐａｂｉｌｉｔｙ（能力）」を有するユーザ装置ＵＥ）に対して、第２キャリアにおいて、下りリンクの制御チャネル信号（ＰＤＣＣＨ：Ｐｈｙｓｉｃａｌ  Ｄｏｗｎｌｉｎｋ  Ｃｏｎｔｒｏｌ  Ｃｈａｎｎｅｌ）のための無線リソースを割り当てるように構成され、第１キャリア及び第２キャリアの同時通信を行うことができないユーザ装置ＵＥ（すなわち、「Ｃａｒｒｉｅｒ  ａｇｇｒｅｇａｔｉｏｎ」の「Ｃａｐａｂｉｌｉｔｙ（能力）」を持たないユーザ装置ＵＥ）に対して、第１キャリアにおいて、下りリンクの制御チャネル信号（ＰＤＣＣＨ：Ｐｈｙｓｉｃａｌ  Ｄｏｗｎｌｉｎｋ  Ｃｏｎｔｒｏｌ  Ｃｈａｎｎｅｌ）のための無線リソースを割り当てるように構成されていてもよい。
【００７０】
なお、上述した例では、下りリンクの制御チャネル信号に関して、ユーザ装置ＵＥが第１キャリア及び第２キャリアの同時通信を行うことができるか否かに基づいて、第１キャリアにおいてその無線リソースを割り当てるか、第２キャリアにおいてその無線リソースを割り当てるかを決定したが、代わりに、下りリンクの共有チャネル信号、下りリンクのデータチャネル信号、上りリンクの送信を指示する下りリンクの制御信号、下りリンクの送信を通知する下りリンクの制御信号、上りリンクの共有チャネル信号の送達確認情報、Ｓｅｍｉ-ｐｅｒｓｉｓｔｅｎｔ  Ｓｃｈｅｄｕｌｉｎｇが適用される下りリンク信号、Ｓｅｍｉ-ｐｅｒｓｉｓｔｅｎｔ  Ｓｃｈｅｄｕｌｉｎｇが適用される上りリンクの信号の送達確認情報、ページング信号、又は、個別制御チャネルに関して、同様の処理が行われてもよい。
【００７１】
或いは、下りリンクリソース割り当て部１１は、制御信号受信部１３より受信した、第１キャリア及び第２キャリアの上りリンクの送信の可否に関する情報に基づいて、どのキャリアにおいて下りリンク信号のための無線リソースを割り当てるかを決定するように構成されていてもよい。
【００７２】
例えば、下りリンクリソース割り当て部１１は、第１キャリアの上りリンクの送信が可能であり、第２キャリアの上りリンクの送信が不可能であるユーザ装置ＵＥに対して、第１キャリアにおいて下りリンク信号のための無線リソースを割り当てるように構成されており、第１キャリアの上りリンクの送信が不可能であり、第２キャリアの上りリンクの送信が可能であるユーザ装置ＵＥに対して、第２キャリアにおいて下りリンクの信号のための無線リソースを割り当てるように構成されていてもよい。
【００７３】
また、下りリンクリソース割り当て部１１は、第１キャリアの上りリンクの送信が可能であり、かつ、第２キャリアの上りリンクの送信が可能であるユーザ装置ＵＥに対して、第２キャリアにおいて下りリンク信号のための無線リソースを割り当てるように構成されていてもよい。
【００７４】
或いは、下りリンクリソース割り当て部１１は、同時通信指示部１４より受信した、複数のキャリアを用いた同時通信を行うか否かに関する情報に基づいて、どのキャリアにおいて下りリンク信号のための無線リソースを割り当てるかを決定するように構成されていてもよい。
【００７５】
例えば、下りリンクリソース割り当て部１１は、複数のキャリアを用いた同時通信を行うユーザ装置ＵＥに対して、第２キャリアにおいて下りリンク信号のための無線リソースを割り当てるように構成されており、複数のキャリアを用いた同時通信を行わないユーザ装置ＵＥに対して、第１キャリアにおいて下りリンクの信号のための無線リソースを割り当てるように構成されていてもよい。
なお、下りリンクリソース割り当て部１１は、第１キャリアを「アンカーキャリア（Ａｎｃｈｏｒ  Ｃａｒｒｉｅｒ）」として設定することによって、第１キャリアにおいて下りリンク信号のための無線リソースを割り当て、第２キャリアを「アンカーキャリア（Ａｎｃｈｏｒ  Ｃａｒｒｉｅｒ）」として設定することによって、第２キャリアにおいて下りリンク信号のための無線リソースを割り当てるように構成されていてもよい。
【００７６】
ここで、前記アンカーキャリアとは、下りリンクの制御チャネル信号が送信されるキャリアという定義であってもよいし、上りリンクの送信を指示する下りリンクの制御信号が送信されるキャリアという定義であってもよいし、下りリンクの送信を通知する下りリンクの制御信号が送信されるキャリアという定義であってもよいし、上りリンクの共有チャネル信号の送達確認情報が送信されるキャリアという定義であってもよいし、Ｓｅｍｉ-ｐｅｒｓｉｓｔｅｎｔ  Ｓｃｈｅｄｕｌｉｎｇが適用される下りリンク信号が送信されるキャリアという定義であってもよいし、Ｓｅｍｉ-ｐｅｒｓｉｓｔｅｎｔ  Ｓｃｈｅｄｕｌｉｎｇが適用される上りリンクの信号の送達確認情報が送信されるキャリアという定義であってもよいし、ページング信号が送信されるキャリアという定義であってもよいし、個別制御チャネル（ＤＣＣＨ：Ｄｅｄｉｃａｔｅｄ  Ｃｏｎｔｒｏｌ  Ｃｈａｎｎｅｌ（ＤＣＣＨ））が送信されるキャリアという定義であってもよい。
【００７７】
或いは、前記アンカーキャリアとは、測定（メジャメント）が行われるキャリアという定義であってもよい。或いは、アンカーキャリアの定義は、上述した定義の組み合わせにより定義されてもよい。
【００７８】
ここで、上記ＤＣＣＨには、「Ｍｅａｓｕｒｅｍｅｎｔ  Ｒｅｐｏｒｔ（測定報告）」や、「Ｈａｎｄｏｖｅｒ  Ｃｏｍｍａｎｄ（ハンドオーバ指示信号）」や、「Ｈａｎｄｏｖｅｒ  Ｃｏｍｐｌｅｔｅ（ハンドオーバ完了信号）」が含まれていてもよい。
【００７９】
「アンカーキャリア」は、「メインキャリア（Ｍａｉｎ  Ｃａｒｒｉｅｒ）」と呼ばれてもよい。  或いは、前記アンカーキャリアは、Primary Carrier(プライマリキャリア)と呼ばれてもよい。また、前記Primary Carrierにおけるサービングセルは、Primary Cell (Pcell, プライマリセル)と呼ばれてもよい。
すなわち、下りリンクリソース割り当て部１１は、第２キャリアをプライマリキャリアとして設定するように構成されていてもよい。この場合、第２キャリアの上りリンク信号からの悪影響を受けない第２キャリアをプライマリキャリアと設定することにより、第２キャリアの上りリンク信号が、第１キャリアの下りリンク信号の受信特性を劣化させるという問題を回避することが可能となる。
或いは、下りリンクリソース割り当て部１１は、第１キャリア及び第２キャリアの同時通信を行うことができるユーザ装置ＵＥ（すなわち、「Ｃａｒｒｉｅｒ  ａｇｇａｒｅｇａｔｉｏｎ」の「Ｃａｐａｂｉｌｉｔｙ（能力）」を有するユーザ装置ＵＥ）に対して、第２キャリアをプライマリキャリアとして設定するように構成されており、第１キャリア及び第２キャリアの同時通信を行うことができないユーザ装置ＵＥ（すなわち、「Ｃａｒｒｉｅｒ  ａｇｇａｒｅｇａｔｉｏｎ」の「Ｃａｐａｂｉｌｉｔｙ（能力）」を持たないユーザ装置ＵＥ）に対して、第１キャリアでの通信を設定するように構成されていてもよい。
或いは、下りリンクリソース割り当て部１１は、制御信号受信部１３より受信した、第１キャリア及び第２キャリアの上りリンクの送信の可否に関する情報に基づいて、どのキャリアをプライマリキャリアとして設定するかを決定するように構成されていてもよい。
例えば、下りリンクリソース割り当て部１１は、第１キャリアの上りリンクの送信が可能であり、第２キャリアの上りリンクの送信が不可能であるユーザ装置ＵＥに対して、第１キャリアをプライマリキャリアとして設定するように構成されており、第１キャリアの上りリンクの送信が不可能であり、第２キャリアの上りリンクの送信が可能であるユーザ装置ＵＥに対して、第２キャリアをプライマリキャリアとして設定するように構成されていてもよい。
また、下りリンクリソース割り当て部１１は、第１キャリアの上りリンクの送信が可能であり、かつ、第２キャリアの上りリンクの送信が可能であるユーザ装置ＵＥに対して、第２キャリアをプライマリキャリアとして設定するように構成されていてもよい。
或いは、下りリンクリソース割り当て部１１は、同時通信指示部１４より受信した、複数のキャリアを用いた同時通信を行うか否かに関する情報に基づいて、どのキャリアをプライマリキャリアとして設定するかを決定するように構成されていてもよい。
例えば、下りリンクリソース割り当て部１１は、複数のキャリアを用いた同時通信を行うユーザ装置ＵＥに対して、第２キャリアをプライマリキャリアとして設定するように構成されており、複数のキャリアを用いた同時通信を行わないユーザ装置ＵＥに対して、第１キャリアをプライマリキャリアとして設定するように構成されていてもよい。
【００８０】
上りリンクリソース割り当て部１２は、ユーザ装置ＵＥに対して、上りリンク信号のための無線リソースを割り当てるように構成されている。
【００８１】
なお、上りリンクリソース割り当て部１２により割り当てられた、前記上りリンク信号のための無線リソースは、物理レイヤ、ＭＡＣレイヤ又はＲＲＣレイヤのシグナリングにより、ユーザ装置ＵＥに対して通知されてもよい。ここで、上りリンク信号は、上りリンクの共有チャネル信号、上りリンクのデータチャネル信号、上りリンクの制御チャネル信号、下りリンクのチャネル状態を通知する制御信号、下りリンクの共有チャネル信号の送達確認情報、スケジューリングリクエスト、サウンディング用のリファレンス信号、ランダムアクセスチャネル信号、Ｓｅｍｉ-ｐｅｒｓｉｓｔｅｎｔ  Ｓｃｈｅｄｕｌｉｎｇが適用される上りリンク信号、Ｓｅｍｉ-ｐｅｒｓｉｓｔｅｎｔ  Ｓｃｈｅｄｕｌｉｎｇが適用される下りリンク信号の送達確認情報、個別制御チャネル（ＤＣＣＨ：Ｄｅｄｉｃａｔｅｄ  Ｃｏｎｔｒｏｌ  Ｃｈａｎｎｅｌ）の少なくとも１つであってもよい。
【００８２】
より具体的には、上りリンクリソース割り当て部１２は、第１キャリアにおいて、上りリンクの共有チャネル信号または上りリンクのデータチャネル信号のための無線リソースを割り当てるように構成されていてもよい。
【００８３】
ここで、第１キャリアにおいて、上りリンクの共有チャネル信号または上りリンクのデータチャネル信号のための無線リソースを割り当てるとは、ユーザ装置ＵＥに対して、第１キャリアにおいて上りリンクの共有チャネル信号又は上りリンクのデータチャネル信号を送信することを指示するという意味であってもよい。
【００８４】
この場合、第１キャリア及び第２キャリアを用いてユーザ装置ＵＥと基地局装置ｅＮＢとの間で無線通信が行われる場合にも、上りリンクの共有チャネル信号または上りリンクのデータチャネル信号は、第１キャリアで送信される。
【００８５】
或いは、より具体的には、上りリンクリソース割り当て部１２は、第１キャリアにおいて、上りリンクの制御チャネル信号のための無線リソースを割り当てるように構成されていてもよい。
【００８６】
ここで、第１キャリアにおいて、上りリンクの制御チャネル信号のための無線リソースを割り当てるとは、ユーザ装置ＵＥに対して、第１キャリアにおいて上りリンクの制御チャネル信号を送信することを指示するという意味であってもよい。
【００８７】
この場合、第１キャリア及び第２キャリアを用いてユーザ装置ＵＥと基地局装置ｅＮＢとの間で無線通信が行われる場合にも、上りリンクの制御チャネル信号は、第１キャリアで送信される。
【００８８】
ここで、前記上りリンクの制御チャネル信号には、下りリンクのチャネル状態を通知する制御信号や、下りリンクの共有チャネル信号の送達確認情報、スケジューリングリクエスト、Ｓｅｍｉ-ｐｅｒｓｉｓｔｅｎｔ  Ｓｃｈｅｄｕｌｉｎｇが適用される下りリンク信号の送達確認情報の少なくとも１つが含まれてもよい。
【００８９】
或いは、より具体的には、上りリンクリソース割り当て部１２は、第１キャリアにおいて、サウンディング用のリファレンス信号のための無線リソースを割り当てるように構成されていてもよい。
【００９０】
ここで、第１キャリアにおいて、サウンディング用のリファレンス信号のための無線リソースを割り当てるとは、ユーザ装置ＵＥに対して、第１キャリアにおいてサウンディング用のリファレンス信号を送信することを指示するという意味であってもよい。
【００９１】
この場合、第１キャリア及び２キャリアを用いてユーザ装置ＵＥと基地局装置ｅＮＢとの間で無線通信が行われる場合にも、サウンディング用のリファレンス信号は、第１キャリアで送信される。
【００９２】
或いは、より具体的には、上りリンクリソース割り当て部１２は、第１キャリアにおいて、ランダムアクセスチャネル信号のための無線リソースを割り当てるように構成されていてもよい。
【００９３】
ここで、第１キャリアにおいて、ランダムアクセスチャネル信号のための無線リソースを割り当てるとは、ユーザ装置ＵＥに対して、第１キャリアにおいてランダムアクセスチャネル信号を送信することを指示するという意味であってもよい。
【００９４】
この場合、第１キャリア及び第２キャリアを用いてユーザ装置ＵＥと基地局装置ｅＮＢとの間で無線通信が行われる場合にも、ランダムアクセスチャネル信号は、第１キャリアで送信される。
【００９５】
或いは、より具体的には、上りリンクリソース割り当て部１２は、第１キャリアにおいて、Ｓｅｍｉ-ｐｅｒｓｉｓｔｅｎｔ  Ｓｃｈｅｄｕｌｉｎｇが適用される上りリンク信号のための無線リソースを割り当てるように構成されていてもよい。
【００９６】
ここで、第１キャリアにおいて、Ｓｅｍｉ-ｐｅｒｓｉｓｔｅｎｔ  Ｓｃｈｅｄｕｌｉｎｇが適用される上りリンク信号のための無線リソースを割り当てるとは、ユーザ装置ＵＥに対して、第１キャリアにおいてＳｅｍｉ-ｐｅｒｓｉｓｔｅｎｔ  Ｓｃｈｅｄｕｌｉｎｇが適用される上りリンク信号を送信することを指示するという意味であってもよい。
【００９７】
この場合、第１キャリア及び第２キャリアを用いてユーザ装置ＵＥと基地局装置ｅＮＢとの間で無線通信が行われる場合にも、Ｓｅｍｉ-ｐｅｒｓｉｓｔｅｎｔ  Ｓｃｈｅｄｕｌｉｎｇが適用される上りリンク信号は、第１キャリアで送信される。
【００９８】
或いは、より具体的には、上りリンクリソース割り当て部１２は、第１キャリアにおいて、個別制御チャネルのための無線リソースを割り当てるように構成されていてもよい。
【００９９】
ここで、第１キャリアにおいて、個別制御チャネルのための無線リソースを割り当てるとは、ユーザ装置ＵＥに対して、第１キャリアにおいて個別制御チャネルを送信することを指示するという意味であってもよい。
【０１００】
この場合、第１キャリア及び第２キャリアを用いてユーザ装置ＵＥと基地局装置ｅＮＢとの間で無線通信が行われる場合にも、個別制御チャネルは、第１キャリアで送信される。
【０１０１】
また、例えば、上りリンクリソース割り当て部１２は、第１キャリア及び第２キャリアの同時通信を行うことができるユーザ装置ＵＥに対して、第１キャリアにおいて上りリンク信号のための無線リソースを割り当てるように構成されており、第１キャリア及び第２キャリアの同時通信を行うことができないユーザ装置ＵＥに対して、第２キャリアにおいて上りリンクの信号のための無線リソースを割り当てるように構成されていてもよい。
【０１０２】
なお、前記第１キャリア及び第２キャリアの同時通信を行うことができるか否かの情報は、ユーザ装置ＵＥから通知されてもよい。この場合、前記第１キャリア及び第２キャリアの同時通信を行うことができるか否かの情報は、ユーザ装置ＵＥから制御信号受信部１３経由で上りリンクリソース割り当て部１２に通知されてもよい。
【０１０３】
前記Ｃａｒｒｉｅｒ  ａｇｇｒｅｇａｔｉｏｎのＣａｐａｂｉｌｉｔｙは、後述するように、図７又は図８のような構成で、ユーザ装置ＵＥから通知されてもよい。
【０１０４】
より具体的には、上りリンクリソース割り当て部１２は、第１キャリア及び第２キャリアの同時通信を行うことができるユーザ装置ＵＥに対して、第１キャリアにおいて、上りリンクの制御チャネル信号のための無線リソースを割り当てるように構成され、第１キャリア及び第２キャリアの同時通信を行うことができないユーザ装置ＵＥに対して、第２キャリアにおいて、上りリンクの制御チャネル信号のための無線リソースを割り当てるように構成されていてもよい。
【０１０５】
尚、上述した例では、上りリンクの制御チャネル信号に関して、ユーザ装置ＵＥが第１キャリア及び第２キャリアの同時通信を行うことができるか否かに基づいて、第１キャリアにおいてその無線リソースを割り当てるか、第２キャリアにおいてその無線リソースを割り当てるかを決定したが、代わりに、上りリンクの共有チャネル信号、または、上りリンクのデータチャネル信号、または、下りリンクのチャネル状態を通知する制御信号、または、下りリンクの共有チャネル信号の送達確認情報、または、スケジューリングリクエスト、または、サウンディング用のリファレンス信号、または、ランダムアクセスチャネル信号、または、Ｓｅｍｉ-ｐｅｒｓｉｓｔｅｎｔ  Ｓｃｈｅｄｕｌｉｎｇが適用される上りリンク信号、または、Ｓｅｍｉ-ｐｅｒｓｉｓｔｅｎｔ  Ｓｃｈｅｄｕｌｉｎｇが適用される下りリンク信号の送達確認情報、または、個別制御チャネルに関して、同様の処理が行われてもよい。
【０１０６】
あるいは、上りリンクリソース割り当て部１２は、制御信号受信部１３より受信した、第１キャリア及び第２キャリアの上りリンクの送信の可否に関する情報に基づいて、どのキャリアにおいて上りリンク信号のための無線リソースを割り当てるかを決定するように構成されていてもよい。例えば、上りリンクリソース割り当て部１２は、第１キャリアの上りリンクの送信が可能であり、第２キャリアの上りリンクの送信が不可能であるユーザ装置ＵＥに対して、第１キャリアにおいて上りリンク信号のための無線リソースを割り当てるように構成されており、第１キャリアの上りリンクの送信が不可能であり、第２キャリアの上りリンクの送信が可能であるユーザ装置ＵＥに対して、第２キャリアにおいて上りリンクの信号のための無線リソースを割り当てるように構成されていてもよい。また、上りリンクリソース割り当て部１２は、第１キャリアの上りリンクの送信が可能であり、かつ、第２キャリアの上りリンクの送信が可能であるユーザ装置ＵＥに対して、第１キャリアにおいて上りリンク信号のための無線リソースを割り当てるように構成されていてもよい。
【０１０７】
あるいは、上りリンクリソース割り当て部１２は、同時通信指示部１４より受信した、複数のキャリアを用いた同時通信を行うか否かに関する情報に基づいて、どのキャリアにおいて上りリンク信号のための無線リソースを割り当てるかを決定するように構成されていてもよい。例えば、複数のキャリアを用いた同時通信を行うユーザ装置ＵＥに対して、第１キャリアにおいて上りリンク信号のための無線リソースを割り当てるように構成されており、複数のキャリアを用いた同時通信を行わないユーザ装置ＵＥに対して、第２キャリアにおいて上りリンクの信号のための無線リソースを割り当てるように構成されていてもよい。
【０１０８】
なお、上りリンクリソース割り当て部１２は、第１キャリアを「アンカーキャリア（Ａｎｃｈｏｒ  Ｃａｒｒｉｅｒ）」として設定することによって、第１キャリアにおいて上りリンク信号のための無線リソースを割り当てるように構成されていてもよい。
【０１０９】
なお、上りリンクリソース割り当て部１２は、第１キャリアをアンカーキャリアとして設定することによって、第１キャリアにおける上りリンク信号のための無線リソースを割り当て、第２キャリアを「アンカーキャリア（Ａｎｃｈｏｒ  Ｃａｒｒｉｅｒ）」として設定することによって、第２キャリアにおいて上りリンク信号のための無線リソースを割り当てるように構成されていてもよい。
【０１１０】
ここで、前記アンカーキャリアとは、上りリンクの制御チャネル信号が送信されるキャリアという定義であってもよいし、下りリンクのチャネル状態を通知する制御信号が送信されるキャリアという定義であってもよいし、下りリンクの共有チャネル信号の送達確認情報が送信されるキャリアという定義であってもよいし、スケジューリングリクエストが送信されるキャリアという定義であってもよいし、ランダムアクセスチャネル信号が送信されるキャリアという定義であってもよいし、Ｓｅｍｉ-ｐｅｒｓｉｓｔｅｎｔ  Ｓｃｈｅｄｕｌｉｎｇが適用される上りリンク信号が送信されるキャリアという定義であってもよいし、Ｓｅｍｉ-ｐｅｒｓｉｓｔｅｎｔ  Ｓｃｈｅｄｕｌｉｎｇが適用される下りリンク信号の送達確認情報が送信されるキャリアという定義であってもよい。あるいは、アンカーキャリアの定義は、上述した定義の組み合わせにより定義されてもよい。或いは、前記アンカーキャリアは、Primary Carrier(プライマリキャリア)と呼ばれてもよい。また、前記Primary Carrierにおけるサービングセルは、Primary Cell (Pcell, プライマリセル)と呼ばれてもよい。
【０１１１】
制御信号受信部１３は、ユーザ装置ＵＥより、ユーザ装置ＵＥの「Ｃａｐａｂｉｌｉｔｙ（能力）」を通知する制御信号を受信するように構成されている。
【０１１２】
ここで、かかる制御信号は、同時に通信可能なキャリアの情報と、同時に通信可能なキャリアの中で上りリンク信号の送信が可能なキャリアの情報とを含む。
【０１１３】
例えば、前記同時に通信可能なキャリアの情報、及び、同時に通信可能なキャリアの中で上りリンク信号の送信が可能なキャリアの情報は、ユーザ装置ＵＥのＣａｐａｂｉｌｉｔｙを通知するメッセージの中のＲａｄｉｏ  Ｆｒｅｑｕｅｎｃｙ  ｐａｒａｍｅｔｅｒｓ（ＲＦ  ｐａｒａｍｅｔｅｒｓ）の一部として通知されてもよい。
【０１１４】
より具体的には、前記同時に通信可能なキャリアの情報、及び、同時に通信可能なキャリアの中で上りリンク信号の送信が可能なキャリアの情報は、図７に示すような構成で通知されてもよい。
【０１１５】
すなわち、同時に通信可能なキャリアの情報として周波数バンドインディケータ（Ｆｒｅｑｕｅｎｃｙ  Ｂａｎｄ  Ｉｎｄｉｃａｔｏｒ）のリストが通知され、かつ、それぞれの周波数バンドに対して、上りリンクの送信の可否、例えば、ＹＥＳあるいはＮＯが通知されてもよい。
【０１１６】
また、図８に、２つのキャリアが同時に通信可能である場合の一例を示す。図８においては、Ｂａｎｄ１におけるキャリア及びＢａｎｄ３におけるキャリアが同時に通信可能であり、かつ、第１キャリアであるＢａｎｄ３においては上りリンクの送信が可能であり、第２キャリアであるＢａｎｄ１においては上りリンクの送信が不可能と通知される。
【０１１７】
あるいは、例えば、前記同時に通信可能なキャリアの情報、及び、同時に通信可能なキャリアの中で上りリンク信号の送信が可能なキャリアの情報は、図９に示すような構成で通知されてもよい。
【０１１８】
すなわち、同時に通信可能なキャリアの情報として周波数バンドインディケータ（Ｆｒｅｑｕｅｎｃｙ  Ｂａｎｄ  Ｉｎｄｉｃａｔｏｒ）のリストが通知され、かつ、それぞれの周波数バンドに対して、上りリンクの送信に関するカテゴリーが通知されてもよい。
【０１１９】
ここで、前記上りリンクの送信に関するカテゴリーは、その周波数バンドにおいて上りリンクの送信を行った場合に、どの程度、下りリンクに対して悪影響を与えるか、すなわち、干渉電力を与えるかに基づいて、決定されてもよい。
【０１２０】
また、前記カテゴリーは、ユーザ装置ＵＥのパフォーマンス規定として、別途規定されたカテゴリーであってもよい。
【０１２１】
より具体的には、カテゴリーＡは、下りリンクに対して悪影響を与えないカテゴリーであり、カテゴリーＢは、下りリンクに対して悪影響を少し与えるカテゴリーであり、カテゴリーＣは、下りリンクに対して悪影響を著しく与えるカテゴリーであるといった定義がなされてもよい。
【０１２２】
或いは、前記カテゴリーＡ、Ｂ、Ｃは、上述のパフォーマンス規定における規定値によって、決定されてもよい。また、カテゴリーＣは、その周波数バンドにおける上りリンクの送信を禁止するといったカテゴリーであってもよい。
【０１２３】
また、図１０に、２つのキャリアが同時に通信可能である場合の一例を示す。図１０においては、Ｂａｎｄ１におけるキャリア及びＢａｎｄ３におけるキャリアが同時に通信可能であり、かつ、第１キャリアであるＢａｎｄ３においては上りリンクの送信が可能であるカテゴリーＡが通知され、第２キャリアであるＢａｎｄ１においては上りリンクの送信が下りリンクの信号に少し悪影響を与えるカテゴリーＢが通知される。
【０１２４】
なお、上述した例では、キャリアの情報として、周波数バンドインディケータが通知されたが、代わりに、上りリンクのキャリアの周波数または下りリンクのキャリアの周波数そのものが通知されてもよい。
【０１２５】
また、前記キャリアの周波数は、ＥＡＲＦＣＮ（Ｅ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）により指定されてもよい。
【０１２６】
或いは、別途、第１キャリアや第２キャリアがキャリアの情報として通知され、前記第１キャリア及び第２キャリアに関して、上りリンクの送信の可否を通知するビットが定義されてもよい。
【０１２７】
なお、制御信号受信部１３は、前記「Ｃａｐａｂｉｌｉｔｙ（能力）」を通知する制御信号、すなわち、同時に通信可能なキャリアの情報、及び、同時に通信可能なキャリアの中で上りリンク信号の送信が可能なキャリアの情報を、下りリンクリソース割り当て部１１及び上りリンクリソース割り当て部１２及び下りリンク送信部１５及び上りリンク送信指示部１６に通知する。
【０１２８】
ここで、同時に通信可能なキャリアの中で上りリンク信号の送信が可能なキャリアの情報とは、具体的には、前記第１キャリア及び第２キャリアの上りリンクの送信の可否に関する情報である。
【０１２９】
同時通信指示部１４は、ユーザ装置ＵＥに対して、複数のキャリアを用いた同時通信（すなわち、「Ｃａｒｒｉｅｒ  ａｇｇｒｅｇａｔｉｏｎ」）を行うように指示するように構成されている。ここで、同時通信指示部１４は、RRC messageを用いて、プライマリーキャリアに加えて、セカンダリキャリアを設定することにより、複数のキャリアを用いた同時通信を行うように指示するように構成されていてもよい。あるいは、同時通信指示部１４は、RRC messageを用いて、セカンダリキャリアを削除することにより、複数のキャリアを用いた同時通信を行わないように指示するように構成されていてもよい。前記セカンダリキャリアの設定／削除は、上りリンクに関してのみ行われてもよいし、下りリンクに関してのみ行われてもよいし、あるいは、上りリンクと下りリンクの両方に関して行われてもよい。
あるいは、同時通信指示部１４は、MAC layerの制御信号を用いて、セカンダリキャリアをActivateすることにより、複数のキャリアを用いた同時通信を行うように指示するように構成されていてもよい。あるいは、同時通信指示部１４は、MAC layerの制御信号を用いて、セカンダリキャリアをDe-activateすることにより、複数のキャリアを用いた同時通信を行わないように指示するように構成されていてもよい。尚、前記セカンダリキャリアのActivation/ De-activationは、上りリンクに関してのみ行われてもよいし、下りリンクに関してのみ行われてもよいし、あるいは、上りリンクと下りリンクの両方に関して行われてもよい。
【０１３０】
例えば、同時通信指示部１４は、ユーザ装置ＵＥとの間のパスロス、下りリンクの無線品質、下りリンクのチャネル状態情報の少なくとも１つに基づいて、複数のキャリアを用いた同時通信を行うように指示するか否か（ＯＮ/ＯＦＦ）について決定するように構成されていてもよい。
【０１３１】
なお、かかるパスロス、下りリンクの無線品質、下りリンクのチャネル状態情報は、ユーザ装置ＵＥより通知されてもよい。
【０１３２】
ここで、下りリンクの無線品質は、下りリンクのリファレンス信号の受信レベル（ＲＳＲＰ）、下りリンクのリファレンス信号のＳＩＲ、Ｃｈａｎｎｅｌ  Ｑｕａｌｉｔｙ  Ｉｎｄｉｃａｔｏｒ、ＲＳＲＱの少なくとも１つであってもよい。
【０１３３】
また、前記パスロスは、ユーザ装置ＵＥから送信されるサウンディング用のリファレンス信号のユーザ装置ＵＥにおける送信電力と基地局装置ｅＮＢの受信電力とから算出されてもよい。
【０１３４】
なお、前記サウンディング用のリファレンス信号のユーザ装置ＵＥにおける送信電力は、ユーザ装置ＵＥから報告されるＰｏｗｅｒ  ｈｅａｄｒｏｏｍにより算出されてもよい。
【０１３５】
或いは、前記パスロスは、ユーザ装置ＵＥから報告されるＰｏｗｅｒ  ｈｅａｄｒｏｏｍから、直接算出されてもよい。この場合、前記Ｐｏｗｅｒ  ｈｅａｄｒｏｏｍは、ユーザ装置ＵＥが保有しているパスロス及びその他の情報を用いて算出されることを想定している。
【０１３６】
例えば、同時通信指示部１４は、ユーザ装置ＵＥとの間のパスロスが所定の閾値以上である場合に、複数のキャリアを用いた同時通信を行わないと決定し、それ以外の場合に、複数のキャリアを用いた同時通信を行うと決定してもよい。
【０１３７】
或いは、同時通信指示部１４は、下りリンクの無線品質が所定の閾値以上である場合に、複数のキャリアを用いた同時通信を行うと決定し、それ以外の場合に、複数のキャリアを用いた同時通信を行わないと決定してもよい。
【０１３８】
ここで、前記パスロスが所定の閾値以上である／ないとは、ユーザ装置ＵＥと基地局装置ｅＮＢとの間における第１キャリアのパスロスが閾値以上である／ないということであってもよいし、ユーザ装置ＵＥと基地局装置ｅＮＢとの間における第２キャリアのパスロスが閾値以上である／ないということであってもよい。
【０１３９】
或いは、前記パスロスが所定の閾値以上である／ないとは、前記第２キャリアのパスロスから前記第１キャリアのパスロスを引いた値が閾値以上である／ないという意味であってもよい。
【０１４０】
この場合、同時通信指示部１４は、前記第２キャリアのパスロスから前記第１キャリアのパスロスを引いた値が閾値以上でない場合に、複数のキャリアを用いた同時通信を行うと決定し、それ以外の場合に、複数のキャリアを用いた同時通信を行わないと決定してもよい。
【０１４１】
すなわち、前記パスロスは、ユーザ装置ＵＥと基地局装置ｅＮＢとの間における第１キャリアのパスロスの絶対値、前記第２キャリアのパスロスの絶対値に限定されるものではなく、前記第１キャリアのパスロスと前記第２キャリアのパスロスの相対値を含んでもよい。
【０１４２】
これにより、例えば、前記第１キャリア及び前記第２キャリアのパスロスが、各々のキャリアにてシングルキャリア通信が可能なレベルであり、前記第２キャリアで上り送信、前記第１キャリア並びに前記第２キャリアにて下り同時受信を実施可能であると、同時通信指示部１４が判断した場合、前記第２キャリアのパスロスが大きく、つまり、送信電力が大きく、且つ、第１キャリアのパスロスが大きく、つまり、受信信号レベルが小さく、結果として相対的に前記第２キャリアの送信信号が、前記第１キャリアの受信信号品質を劣化させてしまう場合を、より高い精度で判断し、避けることが可能となる。
【０１４３】
また、前記パスロスの所定の閾値とは、前記ユーザ装置ＵＥと前記基地局装置ｅＮＢとの間におけるパスロスの他に、前記ユーザ装置ＵＥと前記基地局装置ｅＮＢとは異なる基地局装置との間のパスロスを含んでもよい。
【０１４４】
すなわち、上述したパスロスの算出において、第１キャリアを用いて通信を行う基地局装置のアンテナと第２キャリアを用いて通信を行う基地局装置のアンテナの位置が違ってもよい。
【０１４５】
これにより、例えば、ユーザ装置ＵＥと基地局装置ｅＮＢとの間の第１キャリア及び第２キャリアのパスロスに関して、前記第２キャリアのパスロスが大きく、同時通信指示部１４が「Ｃａｒｒｉｅｒ  ａｇｇｒｅｇａｔｉｏｎ」不可と判断した場合においても、前記ユーザ装置ＵＥと前記基地局装置ｅＮＢとは異なる基地局装置との間の第１キャリアのパスロスが小さい場合においては、「Ｃａｒｒｉｅｒ  ａｇｇｒｅｇａｔｉｏｎ」を実施することが可能となる。
【０１４６】
また、同時通信指示部１４は、下りリンクリソース割り当て部１１が、第１キャリア及び第２キャリアの同時通信を行うことができるユーザ装置ＵＥに対して、第１キャリアにおける無線リソースを割り当てる場合に、第１キャリア及び第２キャリアの同時通信を不可（ＯＦＦ）として通知するように構成されていてもよい。
【０１４７】
また、同時通信指示部１４は、上りリンクリソース割り当て部１２が、第１キャリア及び第２キャリアの同時通信を行うことができるユーザ装置ＵＥに対して、第２キャリアにおける無線リソースを割り当てる場合に、第１キャリア及び第２キャリアの同時通信を不可（ＯＦＦ）として通知するように構成されていてもよい。
【０１４８】
また、同時通信指示部１４は、前記複数のキャリアを用いた同時通信を行うか否かの決定を、下りリンクリソース割り当て部１１と上りリンクリソース割り当て部１２と下りリンク信号送信部１５と上りリンク信号送信指示部１６に通知する。
【０１４９】
下りリンク信号送信部１５は、第１キャリア下りリンク信号送信部１５ａと、第２キャリア下りリンク信号送信部１５ｂとを具備している。
【０１５０】
第１キャリア下りリンク信号送信部１５ａは、ユーザ装置ＵＥに対して、第１キャリアにおける下りリンク信号送信するように構成されており、第２キャリア下りリンク信号送信部１５ｂは、ユーザ装置ＵＥに対して、第２キャリアにおける下りリンク信号を送信するように構成されている。
【０１５１】
なお、前記下りリンク信号とは、例えば、下りリンクの共有チャネル信号であってもよいし、下りリンクのデータチャネル信号であってもよいし、下りリンクの制御チャネル信号であってもよいし、上りリンクの送信を指示する下りリンクの制御信号であってもよいし、下りリンクの送信を通知する下りリンクの制御信号であってもよいし、ページング信号であってもよいし、ＤＣＣＨであってもよい。
【０１５２】
具体的には、第１キャリア下りリンク信号送信部１５ａは、第２キャリア上りリンク信号受信部１７ｂが第２キャリアにおける上りリンク信号を受信するか否かに基づいて、第１キャリアにおける下りリンク信号の送信を行うか否かについて決定するように構成されていてもよい。
【０１５３】
ここで、前記上りリンク信号は、例えば、上りリンクの共有チャネル信号、上りリンクのデータチャネル信号、上りリンクの制御チャネル信号、下りリンクのチャネル状態を通知する制御信号、下りリンクの共有チャネル信号の送達確認情報、スケジューリングリクエスト、サウンディング用のリファレンス信号、ランダムアクセスチャネル信号、Ｓｅｍｉ-ｐｅｒｓｉｓｔｅｎｔ  Ｓｃｈｅｄｕｌｉｎｇが適用される上りリンク信号、Ｓｅｍｉ-ｐｅｒｓｉｓｔｅｎｔ  Ｓｃｈｅｄｕｌｉｎｇが適用される下りリンク信号の送達確認情報、個別制御チャネル（ＤＣＣＨ：Ｄｅｄｉｃａｔｅｄ  Ｃｏｎｔｒｏｌ  Ｃｈａｎｎｅｌ）の少なくとも１つである。
【０１５４】
例えば、第１キャリア下りリンク信号送信部１５ａは、第２キャリア上りリンク信号受信部１７ｂが第２キャリアにおける上りリンク信号を受信するタイムフレームにおいて、第１キャリアにおける下りリンク信号を送信しないように構成されており、第２キャリア上りリンク信号受信部１７ｂが第２キャリアにおける上りリンク信号を受信しないタイムフレームにおいて、第１キャリアにおける下りリンク信号を送信するように構成されていてもよい。
【０１５５】
また、第２キャリア下りリンク信号送信部１５ｂは、第２キャリア上りリンク信号受信部１７ｂが第２キャリアにおける上りリンク信号を受信するタイムフレームにおいて、第１キャリア下りリンク信号送信部１５ａが第１キャリアにおける下りリンク信号を送信しないことを受けて、第２キャリアにおける下りリンク信号を送信するように構成されていてもよい。
【０１５６】
なお、前記タイムフレームは、例えば、サブフレームやＴＴＩ（Ｔｒａｎｓｍｉｓｓｉｏｎ  Ｔｉｍｅ  Ｉｎｔｅｒｖａｌ）と呼ばれてもよい。また、例えば、前記タイムフレームの長さは、１ｍｓであってもよい。
【０１５７】
また、第１キャリア下りリンク信号送信部１５ａ及び第２キャリア下りリンク信号送信部１５ｂは、第２キャリア上りリンク信号受信部１７ｂが第２キャリアにおける上りリンク信号を受信するか否かに基づいて、第１キャリアにおける下りリンク信号及び第２キャリアにおける下りリンク信号の同時送信（すなわち、「Ｃａｒｒｉｅｒ  ａｇｇａｒｅｇａｔｉｏｎ」）を行うか否かについて決定するように構成されていてもよい。
【０１５８】
例えば、第１キャリア下りリンク信号送信部１５ａ及び第２キャリア下りリンク信号送信部１５ｂは、第２キャリア上りリンク信号受信部１７ｂが第２キャリアにおける上りリンク信号を受信するタイムフレームにおいて、第１キャリアにおける下りリンク信号及び第２キャリアにおける下りリンク信号の同時送信を行わないように構成されており、第２キャリア上りリンク信号受信部１７ｂが第２キャリアにおける上りリンク信号を受信しないタイムフレームにおいて、第１キャリアにおける下りリンク信号及び第２キャリアにおける下りリンク信号の同時送信を行うように構成されていてもよい。
【０１５９】
さらに、第１キャリア下りリンク信号送信部１５ａは、第１キャリア上りリンク信号受信部１７ａ及び第２キャリア上りリンク信号受信部１７ｂが第１キャリアにおける上りリンク信号及び第２キャリアにおける上りリンク信号の同時受信を行うか否かに基づいて、第１キャリアにおける下りリンク信号の送信を行うか否かについて決定するように構成されていてもよい。
【０１６０】
例えば、第１キャリア下りリンク信号送信部１５ａは、第１キャリア上りリンク信号受信部１７ａ及び第２キャリア上りリンク信号受信部１７ｂが第１キャリアにおける上りリンク信号及び第２キャリアにおける上りリンク信号の同時受信を行うタイムフレームにおいて、第１キャリアにおける下りリンク信号を送信しないように構成されており、第１キャリア上りリンク信号受信部１７ａ及び第２キャリア上りリンク信号受信部１７ｂが第１キャリアにおける上りリンク信号及び第２キャリアにおける上りリンク信号の同時受信を行わないタイムフレームにおいて、第１キャリアにおける下りリンク信号を送信するように構成されていてもよい。
【０１６１】
さらに、第１キャリア下りリンク信号送信部１５ａは、第１キャリア上りリンク信号受信部１７ａ及び第２キャリア上りリンク信号受信部１７ｂが第１キャリアにおける上りリンク信号及び第２キャリアにおける上りリンク信号の同時受信を行うか否かに基づいて、第１キャリアにおける下りリンク信号及び第２キャリアにおける下りリンク信号の同時送信（すなわち、「Ｃａｒｒｉｅｒ  ａｇｇｒｅｇａｔｉｏｎ」）を行うか否かについて決定するように構成されていてもよい。
【０１６２】
例えば、第１キャリア下りリンク信号送信部１５ａは、第１キャリア上りリンク信号受信部１７ａ及び第２キャリア上りリンク信号受信部１７ｂが第１キャリアにおける上りリンク信号及び第２キャリアにおける上りリンク信号の同時受信を行うタイムフレームにおいて、第１キャリアにおける下りリンク信号及び第２キャリアにおける下りリンク信号の同時送信を行わないように構成されており、第１キャリア上りリンク信号受信部１７ａ及び第２キャリア上りリンク信号受信部１７ｂが第１キャリアにおける上りリンク信号及び第２キャリアにおける上りリンク信号の同時受信を行わないタイムフレームにおいて、第１キャリアにおける下りリンク信号及び第２キャリアにおける下りリンク信号の同時送信を行うように構成されていてもよい。
【０１６３】
また、第１キャリア下りリンク信号送信部１５ａは、第２キャリア上りリンク信号受信部１７ｂが第２キャリアにおける上りリンク信号を受信するか否かに加えて、第２キャリアにおける上りリンク信号の送信電力、送信帯域幅、変調方式、送信周波数、ＭＣＳレベル、所要のＳＩＲの少なくとも１つに基づいて、第１キャリアにおける下りリンク信号の送信を行うか否かについて決定するように構成されていてもよい。
【０１６４】
例えば、第１キャリア下りリンク信号送信部１５ａは、そのタイムフレームにおいて第２キャリア上りリンク信号受信部１７ｂが第２キャリアにおける上りリンク信号を受信し、かつ、前記第２キャリアにおける上りリンク信号の送信電力が所定の閾値以上である場合に、第１キャリアにおける下りリンク信号の送信を行わないと決定し、それ以外の場合に、第１キャリアにおける下りリンク信号の送信を行うと決定してもよい。
【０１６５】
ここで、前記所定の閾値は、一例として、０ｄＢｍという値であってもよい。また、前記第２キャリアにおける上りリンク信号の送信電力は、例えば、ユーザ装置ＵＥから通知されるＰｏｗｅｒ  Ｈｅａｄｒｏｏｍから算出されてもよい。
【０１６６】
或いは、例えば、第１キャリア下りリンク信号送信部１５ａは、そのタイムフレームにおいて第２キャリア上りリンク信号受信部１７ｂが第２キャリアにおける上りリンク信号を受信し、かつ、前記第２キャリアにおける上りリンク信号の送信帯域幅が所定の閾値以上である場合に、第１キャリアにおける下りリンク信号の送信を行わないと決定し、それ以外の場合に、第１キャリアにおける下りリンク信号の送信を行うと決定してもよい。
【０１６７】
ここで、前記送信帯域幅は、一例として、１ＭＨｚという値であってもよいし、６リソースブロックという値であってもよい。
【０１６８】
或いは、例えば、第１キャリア下りリンク信号送信部１５ａは、そのタイムフレームにおいて第２キャリア上りリンク信号受信部１７ｂが第２キャリアにおける上りリンク信号を受信し、かつ、前記第２キャリアにおける上りリンク信号の送信電力が所定の第１閾値以上であり、かつ、前記第２キャリアにおける上りリンク信号の送信帯域幅が所定の第２閾値以上である場合に、第１キャリアにおける下りリンク信号の送信を行わないと決定し、それ以外の場合に、第１キャリアにおける下りリンク信号の送信を行うと決定してもよい。
【０１６９】
或いは、例えば、第１キャリア下りリンク信号送信部１５ａは、そのタイムフレームにおいて第２キャリア上りリンク信号受信部１７ｂが第２キャリアにおける上りリンク信号を受信し、かつ、前記第２キャリアにおける上りリンク信号の送信電力が所定の第１閾値以上であり、かつ、前記第２キャリアにおける上りリンク信号の送信帯域幅が所定の第２閾値以上であり、かつ、前記第２キャリアにおける上りリンク信号の送信帯域幅がＱＰＳＫである場合に、第１キャリアにおける下りリンク信号の送信を行わないと決定し、それ以外の場合に、第１キャリアにおける下りリンク信号の送信を行うと決定してもよい。
【０１７０】
或いは、例えば、第１キャリア下りリンク信号送信部１５ａは、そのタイムフレームにおいて第２キャリア上りリンク信号受信部１７ｂが第２キャリアにおける上りリンク信号を受信し、かつ、前記第２キャリアにおける上りリンク信号のＭＣＳレベルが所定の第１閾値以下であり、かつ、前記第２キャリアにおける上りリンク信号の送信帯域幅が所定の第２閾値以上である場合に、第１キャリアにおける下りリンク信号の送信を行わないと決定し、それ以外の場合に、第１キャリアにおける下りリンク信号の送信を行うと決定してもよい。
【０１７１】
ここで、前記第１閾値は、一例として、ＭＣＳレベルとして０から１５が定義されている場合の、５という値であってもよい。
【０１７２】
また、第１キャリア下りリンク信号送信部１５ａ及び第２キャリア下りリンク信号送信部１５ｂは、第２キャリア上りリンク信号受信部１７ｂが第２キャリアにおける上りリンク信号を受信するか否かに加えて、第２キャリアにおける上りリンク信号の送信電力、送信帯域幅、変調方式、送信周波数、ＭＣＳレベル、所要のＳＩＲの少なくとも１つに基づいて、第１キャリアにおける下りリンク信号及び第２キャリアにおける下りリンク信号の同時送信を行うか否かについて決定するように構成されていてもよい。
【０１７３】
例えば、第１キャリア下りリンク信号送信部１５ａ及び第２キャリア下りリンク信号送信部１５ｂは、そのタイムフレームにおいて第２キャリア上りリンク信号受信部１７ｂが第２キャリアにおける上りリンク信号を受信し、かつ、前記第２キャリアにおける上りリンク信号の送信電力が所定の閾値以上である場合に、第１キャリアにおける下りリンク信号及び第２キャリアにおける下りリンク信号の同時送信を行わないと決定し、それ以外の場合に、第１キャリアにおける下りリンク信号及び第２キャリアにおける下りリンク信号の同時送信を行うと決定してもよい。
【０１７４】
ここで、前記所定の閾値は、一例として、０ｄＢｍという値であってもよい。また、前記第２キャリアにおける上りリンク信号の送信電力は、例えば、ユーザ装置ＵＥから通知されるＰｏｗｅｒ  Ｈｅａｄｒｏｏｍから算出されてもよい。
【０１７５】
或いは、例えば、第１キャリア下りリンク信号送信部１５ａ及び第２キャリア下りリンク信号送信部１５ｂは、そのタイムフレームにおいて第２キャリア上りリンク信号受信部１７ｂが第２キャリアにおける上りリンク信号を受信し、かつ、前記第２キャリアにおける上りリンク信号の送信電力が所定の第１閾値以上であり、かつ、前記第２キャリアにおける上りリンク信号の送信帯域幅が所定の第２閾値以上である場合に、第１キャリアにおける下りリンク信号及び第２キャリアにおける下りリンク信号の同時送信を行わないと決定し、それ以外の場合に、第１キャリアにおける下りリンク信号及び第２キャリアにおける下りリンク信号の同時送信を行うと決定してもよい。
【０１７６】
また、第１キャリア下りリンク信号送信部１５ａは、第１キャリア上りリンク信号受信部１７ａ及び第２キャリア上りリンク信号受信部１７ｂが第１キャリアにおける上りリンク信号及び第２キャリアにおける上りリンク信号の同時受信を行うか否かに加えて、第２キャリアにおける上りリンク信号の送信電力、送信帯域幅、変調方式、送信周波数、ＭＣＳレベル、所要のＳＩＲの少なくとも１つに基づいて、第１キャリアにおける下りリンク信号の送信を行うか否かについて決定するように構成されていてもよい。
【０１７７】
例えば、第１キャリア下りリンク信号送信部１５ａは、そのタイムフレームにおいて第１キャリア上りリンク信号受信部１７ａ及び第２キャリア上りリンク信号受信部１７ｂが第１キャリアにおける上りリンク信号及び第２キャリアにおける上りリンク信号の同時受信を行い、かつ、前記第２キャリアにおける上りリンク信号の送信電力が所定の閾値以上である場合に、第１キャリアにおける下りリンク信号の送信を行わないと決定し、それ以外の場合に、第１キャリアにおける下りリンク信号の送信を行うと決定してもよい。
【０１７８】
ここで、前記所定の閾値は、一例として、０ｄＢｍという値であってもよい。また、前記第２キャリアにおける上りリンク信号の送信電力は、例えば、ユーザ装置ＵＥから通知されるＰｏｗｅｒ  Ｈｅａｄｒｏｏｍから算出されてもよい。
【０１７９】
また、第１キャリア下りリンク信号送信部１５ａは、第２キャリア上りリンク信号受信部１７ｂが第２キャリアにおける上りリンク信号を受信するか否かに加えて、ユーザ装置ＵＥと基地局装置ｅＮＢとの間のパスロスに基づいて、第１キャリアにおける下りリンク信号の送信を行うか否かについて決定するように構成されていてもよい。
【０１８０】
ここで、第１キャリア下りリンク信号送信部１５ａは、同時通信指示部１４より受信した、ユーザ装置ＵＥとの間のパスロスが所定の閾値以上であり、複数のキャリアを用いた同時通信を行わないという決定に基づいて、第１キャリアにおける下りリンク信号の送信を行うか否かについて決定するように構成されていてもよい。
【０１８１】
すなわち、第１キャリア下りリンク信号送信部１５ａは、そのタイムフレームにおいて第２キャリア上りリンク信号受信部１７ｂが第２キャリアにおける上りリンク信号を受信し、かつ、同時通信指示部１４より、ユーザ装置ＵＥとの間のパスロスが所定の閾値以上であり、複数のキャリアを用いた同時通信を行わないという決定を受け取っている場合に、第１キャリアにおける下りリンク信号の送信を行わないと決定し、それ以外の場合に、第１キャリアにおける下りリンク信号の送信を行うと決定してもよい。
【０１８２】
また、第１キャリア下りリンク信号送信部１５ａは、第２キャリア上りリンク信号受信部１７ｂが第２キャリアにおける上りリンク信号を受信するか否かとパスロスに加えて、第２キャリアにおける上りリンク信号の送信電力、送信帯域幅、変調方式、送信周波数、ＭＣＳレベル、所要のＳＩＲの少なくとも１つに基づいて、第１キャリアにおける下りリンク信号の送信を行うか否かについて決定するように構成されていてもよい。
【０１８３】
また、第１キャリア下りリンク信号送信部１５ａ及び第２キャリア下りリンク信号送信部１５ｂは、第２キャリア上りリンク信号受信部１７ｂが第２キャリアにおける上りリンク信号を受信するか否かに加えて、ユーザ装置ＵＥと基地局装置ｅＮＢとの間のパスロスに基づいて、第１キャリアにおける下りリンク信号及び第２キャリアにおける下りリンク信号の同時送信を行うか否かについて決定するように構成されていてもよい。
【０１８４】
ここで、第１キャリア下りリンク信号送信部１５ａ及び第２キャリア下りリンク信号送信部１５ｂは、同時通信指示部１４より受信した、ユーザ装置ＵＥとの間のパスロスが所定の閾値以上であり、複数のキャリアを用いた同時通信を行わないという決定に基づいて、第１キャリアにおける下りリンク信号及び第２キャリアにおける下りリンク信号の同時送信を行うか否かについて決定するように構成されていてもよい。
【０１８５】
すなわち、第１キャリア下りリンク信号送信部１５ａ及び第２キャリア下りリンク信号送信部１５ｂは、そのタイムフレームにおいて第２キャリア上りリンク信号受信部１７ｂが第２キャリアにおける上りリンク信号を受信し、かつ、同時通信指示部１４より、ユーザ装置ＵＥとの間のパスロスが所定の閾値以上であり、複数のキャリアを用いた同時通信を行わないという決定を受け取っている場合に、第１キャリアにおける下りリンク信号及び第２キャリアにおける下りリンク信号の同時送信を行わないと決定し、それ以外の場合に、第１キャリアにおける下りリンク信号及び第２キャリアにおける下りリンク信号の同時送信を行うと決定してもよい。
【０１８６】
また、第１キャリア下りリンク信号送信部１５ａ及び第２キャリア下りリンク信号送信部１５ｂは、第２キャリア上りリンク信号受信部１７ｂが第２キャリアにおける上りリンク信号を受信するか否かとパスロスに加えて、第２キャリアにおける上りリンク信号の送信電力、送信帯域幅、変調方式、送信周波数、ＭＣＳレベル、所要のＳＩＲの少なくとも１つに基づいて、第１キャリアにおける下りリンク信号及び第２キャリアにおける下りリンク信号の同時送信を行うか否かについて決定するように構成されていてもよい。
【０１８７】
さらに、第１キャリア下りリンク信号送信部１５ａは、第１キャリア上りリンク信号受信部１７ａ及び第２キャリア上りリンク信号受信部１７ｂが第１キャリアにおける上りリンク信号及び第２キャリアにおける上りリンク信号の同時受信を行うか否かに加えて、ユーザ装置ＵＥと基地局装置ｅＮＢとの間のパスロスに基づいて、第１キャリアにおける下りリンク信号の送信を行うか否かについて決定するように構成されていてもよい。
【０１８８】
上りリンク送信指示部１６は、第１キャリア上りリンク送信指示部１６ａと、第２キャリア上りリンク送信指示部１６ｂとを具備している。
【０１８９】
第１キャリア上りリンク送信指示部１６ａは、ユーザ装置ＵＥに対して、第１キャリアにおける上りリンク信号の送信指示を行うように構成されており、第２キャリア上りリンク送信指示部１６ｂは、ユーザ装置ＵＥに対して、第２キャリアにおける上りリンク信号の送信指示を行うように構成されている。
【０１９０】
なお、上りリンク信号の送信指示を行う信号は、例えば、上りリンクの送信を指示する下りリンクの制御信号（Ｕｐｌｉｎｋ  Ｓｃｈｅｄｕｌｉｎｇ  Ｇｒａｎｔ）である。また、前記上りリンクの信号は、例えば、上りリンクの共有チャネル信号、または、上りリンクのデータチャネル信号である。
【０１９１】
具体的には、第２キャリア上りリンク送信指示部１６ｂは、第１キャリア下りリンク信号送信部１５ａが第１キャリアにおける下りリンク信号を送信するか否かに基づいて、第２キャリアにおける上りリンク信号の送信指示を行うか否かについて決定するように構成されていてもよい。
【０１９２】
ここで、下りリンク信号は、下りリンクの共有チャネル信号、下りリンクのデータチャネル信号、下りリンクの制御チャネル信号、上りリンクの送信を指示する下りリンクの制御信号、下りリンクの送信を通知する下りリンクの制御信号、上りリンクの共有チャネル信号の送達確認情報、Ｓｅｍｉ-ｐｅｒｓｉｓｔｅｎｔ  Ｓｃｈｅｄｕｌｉｎｇが適用される下りリンク信号、Ｓｅｍｉ-ｐｅｒｓｉｓｔｅｎｔ  Ｓｃｈｅｄｕｌｉｎｇが適用される上りリンクの信号の送達確認情報、ページング信号、個別制御チャネル（ＤＣＣＨ：Ｄｅｄｉｃａｔｅｄ  Ｃｏｎｔｒｏｌ  Ｃｈａｎｎｅｌ（ＤＣＣＨ））の少なくとも１つである。
【０１９３】
例えば、第２キャリア上りリンク送信指示部１６ｂは、第１キャリア下りリンク信号送信部１５ａが第１キャリアにおける下りリンク信号を送信するタイムフレームの４タイムフレーム前において、第２キャリアにおける上りリンク信号の送信指示を行わないように構成されており、第１キャリア下りリンク信号送信部１５ａが第１キャリアにおける下りリンク信号を送信しないタイムフレームの４タイムフレーム前において、第２キャリアにおける上りリンク信号の送信指示を行うように構成されていてもよい。
【０１９４】
ここで、ＬＴＥ方式及びＬＴＥ-Ａ方式の上りリンクにおいて、上りリンクの共有チャネル信号、または、上りリンクのデータチャネル信号の送信は、下りリンクにおいて上りリンク信号の送信指示を行ったタイムフレームから４タイムフレーム後に行われる。
【０１９５】
よって、上述したように、前記第１キャリアにおける下りリンク信号を送信するタイムフレームの４タイムフレーム前に、第２キャリアにおける上りリンク信号の送信指示を行うか否かを決定することにより、前記下りリンク信号が送信されるタイムフレームにおいて、上りリンクの共有チャネル信号または上りリンクのデータチャネル信号の送信が前記前記下りリンク信号の受信特性が劣化しないように、上りリンク信号の送信指示を行うことが可能となる。
【０１９６】
また、第１キャリア上りリンク送信指示部１６ａ及び第２キャリア上りリンク送信指示部１６ｂは、第１キャリア下りリンク信号送信部１５ａが第１キャリアにおける下りリンク信号を送信するか否かに基づいて、第１キャリアにおける上りリンク信号及び第２キャリアにおける上りリンク信号の同時送信を指示するか否かについて決定するように構成されていてもよい。
【０１９７】
例えば、第１キャリア上りリンク送信指示部１６ａ及び第２キャリア上りリンク送信指示部１６ｂは、第１キャリア下りリンク信号送信部１５ａが第１キャリアにおける下りリンク信号を送信するタイムフレームの４タイムフレーム前において、第１キャリアにおける上りリンク信号及び第２キャリアにおける上りリンク信号の同時送信を指示しないように構成されており、下りリンク信号送信部１５が第１キャリアにおける下りリンク信号を送信しないタイムフレームの４タイムフレーム前において、第１キャリアにおける上りリンク信号及び第２キャリアにおける上りリンク信号の同時送信を指示するように構成されていてもよい。
【０１９８】
さらに、第２キャリア上りリンク送信指示部１６ｂは、第１キャリア下りリンク信号送信部１５ａ及び第２キャリア下りリンク信号送信部１５ｂが第１キャリアにおける下りリンク信号及び第２キャリアにおける下りリンク信号の同時送信を行うか否かに基づいて、第２キャリアにおける上りリンク信号の送信指示を行うか否かについて決定するように構成されていてもよい。
【０１９９】
例えば、第２キャリア上りリンク送信指示部１６ｂは、第１キャリア下りリンク信号送信部１５ａ及び第２キャリア下りリンク信号送信部１５ｂが第１キャリアにおける下りリンク信号及び第２キャリアにおける下りリンク信号の同時送信を行うタイムフレームの４タイムフレーム前において、第２キャリアにおける上りリンク信号の送信指示を行わないように構成されており、第１キャリア下りリンク信号送信部１５ａ及び第２キャリア下りリンク信号送信部１５ｂが第１キャリアにおける下りリンク信号及び第２キャリアにおける下りリンク信号の同時送信を行わないタイムフレームの４タイムフレーム前において、第２キャリアにおける上りリンク信号の送信指示を行うように構成されていてもよい。
【０２００】
さらに、第２キャリア上りリンク送信指示部１６ｂは、第１キャリア下りリンク信号送信部１５ａ及び第２キャリア下りリンク信号送信部１５ｂが第１キャリアにおける下りリンク信号及び第２キャリアにおける下りリンク信号の同時送信を行うか否かに基づいて、第１キャリアにおける上りリンク信号及び第２キャリアにおける上りリンク信号の同時送信を指示するか否かについて決定するように構成されていてもよい。
【０２０１】
例えば、第２キャリア上りリンク送信指示部１６ｂは、第１キャリア下りリンク信号送信部１５ａ及び第２キャリア下りリンク信号送信部１５ｂが第１キャリアにおける下りリンク信号及び第２キャリアにおける下りリンク信号の同時送信を行うタイムフレームの４タイムフレーム前において、第１キャリアにおける上りリンク信号及び第２キャリアにおける上りリンク信号の同時送信の送信指示を行わないように構成されており、第１キャリア下りリンク信号送信部１５ａ及び第２キャリア下りリンク信号送信部１５ｂが第１キャリアにおける下りリンク信号及び第２キャリアにおける下りリンク信号の同時送信を行わないタイムフレームの４タイムフレーム前において、第１キャリアにおける上りリンク信号及び第２キャリアにおける上りリンク信号の同時送信の送信指示を行うように構成されていてもよい。
【０２０２】
また、第２キャリア上りリンク送信指示部１６ｂは、第１キャリア下りリンク信号送信部１５ａが第１キャリアにおける下りリンク信号を送信するか否かに加えて、第２キャリアにおける上りリンク信号の送信電力、送信帯域幅、変調方式、送信周波数、ＭＣＳレベル、所要のＳＩＲの少なくとも１つに基づいて、第２キャリアにおける上りリンク信号の送信指示を行うか否かについて決定するように構成されていてもよい。
【０２０３】
例えば、第２キャリア上りリンク送信指示部１６ｂは、４タイムフレーム後のタイムフレームにおいて第１キャリア下りリンク信号送信部１５ａが第１キャリアにおける下りリンク信号を送信し、かつ、前記第２キャリアにおける上りリンク信号の送信電力が所定の閾値以上である場合に、第２キャリアにおける上りリンク信号の送信指示を行わないと決定し、それ以外の場合に、第２キャリアにおける上りリンク信号の送信指示を行うと決定してもよい。
【０２０４】
ここで、前記所定の閾値は、一例として、０ｄＢｍという値であってもよい。また、前記第２キャリアにおける上りリンク信号の送信電力は、例えば、ユーザ装置ＵＥから通知されるＰｏｗｅｒ  Ｈｅａｄｒｏｏｍから算出されてもよい。
【０２０５】
或いは、例えば、第２キャリア上りリンク送信指示部１６ｂは、４タイムフレーム後のタイムフレームにおいて第１キャリア下りリンク信号送信部１５ａが第１キャリアにおける下りリンク信号を送信し、かつ、前記第２キャリアにおける上りリンク信号の送信帯域幅が所定の閾値以上である場合に、第２キャリアにおける上りリンク信号の送信指示を行わないと決定し、それ以外の場合に、第２キャリアにおける上りリンク信号の送信指示を行うと決定してもよい。
【０２０６】
ここで、前記送信帯域幅は、一例として、１ＭＨｚという値であってもよいし、６リソースブロックという値であってもよい。
【０２０７】
或いは、例えば、第２キャリア上りリンク送信指示部１６ｂは、４タイムフレーム後のタイムフレームにおいて第１キャリア下りリンク信号送信部１５ａが第１キャリアにおける下りリンク信号を送信し、かつ、前記第２キャリアにおける上りリンク信号の送信電力が所定の第１閾値以上であり、かつ、前記第２キャリアにおける上りリンク信号の送信帯域幅が所定の第２閾値以上である場合に、第２キャリアにおける上りリンク信号の送信指示を行わないと決定し、それ以外の場合に、第２キャリアにおける上りリンク信号の送信指示を行うと決定してもよい。
【０２０８】
或いは、例えば、第２キャリア上りリンク送信指示部１６ｂは、４タイムフレーム後のタイムフレームにおいて第１キャリア下りリンク信号送信部１５ａが第１キャリアにおける下りリンク信号を送信し、かつ、前記第２キャリアにおける上りリンク信号の送信電力が所定の第１閾値以上であり、かつ、前記第２キャリアにおける上りリンク信号の送信帯域幅が所定の第２閾値以上であり、かつ、前記第２キャリアにおける上りリンク信号の送信帯域幅がＱＰＳＫである場合に、第２キャリアにおける上りリンク信号の送信指示を行わないと決定し、それ以外の場合に、第２キャリアにおける上りリンク信号の送信指示を行うと決定してもよい。
【０２０９】
或いは、例えば、第２キャリア上りリンク送信指示部１６ｂは、４タイムフレーム後のタイムフレームにおいて第１キャリア下りリンク信号送信部１５ａが第１キャリアにおける下りリンク信号を送信し、かつ、前記第２キャリアにおける上りリンク信号のＭＣＳレベルが所定の第１閾値以下であり、かつ、前記第２キャリアにおける上りリンク信号の送信帯域幅が所定の第２閾値以上である場合に、第２キャリアにおける上りリンク信号の送信指示を行わないと決定し、それ以外の場合に、第２キャリアにおける上りリンク信号の送信指示を行うと決定してもよい。
【０２１０】
ここで、前記第１閾値は、一例として、ＭＣＳレベルとして０から１５が定義されている場合の、５という値であってもよい。  また、第２キャリア上りリンク送信指示部１６ｂは、第１キャリア下りリンク信号送信部１５ａが第１キャリアにおける下りリンク信号を送信するか否かに加えて、ユーザ装置ＵＥと基地局装置ｅＮＢとの間のパスロスに基づいて、第２キャリアにおける上りリンク信号の送信指示を行うか否かについて決定するように構成されていてもよい。
【０２１１】
ここで、第２キャリア上りリンク送信指示部１６ｂは、同時通信指示部１４より受信した、ユーザ装置ＵＥとの間のパスロスが所定の閾値以上であり、複数のキャリアを用いた同時通信を行わないという決定に基づいて、第２キャリアにおける上りリンク信号の送信指示を行うか否かについて決定するように構成されていてもよい。
【０２１２】
すなわち、第２キャリア上りリンク送信指示部１６ｂは、４タイムフレーム後のタイムフレームにおいて第１キャリア下りリンク信号送信部１５ａが第１キャリアにおける下りリンク信号を送信し、かつ、同時通信指示部１４より、ユーザ装置ＵＥとの間のパスロスが所定の閾値以上であり、複数のキャリアを用いた同時通信を行わないという決定を受け取っている場合に、第２キャリアにおける上りリンク信号の送信指示を行わないと決定し、それ以外の場合に、第２キャリアにおける上りリンク信号の送信を行うと決定してもよい。
【０２１３】
また、第２キャリア上りリンク送信指示部１６ｂは、４タイムフレーム後のタイムフレームにおいて第１キャリア下りリンク信号送信部１５ａが第１キャリアにおける下りリンク信号を送信するか否かとパスロスに加えて、第２キャリアにおける上りリンク信号の送信電力、送信帯域幅、変調方式、送信周波数、ＭＣＳレベル、所要のＳＩＲの少なくとも１つに基づいて、第２キャリアにおける上りリンク信号の送信指示を行うか否かについて決定するように構成されていてもよい。
【０２１４】
また、第１キャリア上りリンク送信指示部１６ａ及び第２キャリア上りリンク送信指示部１６ｂは、第１キャリア下りリンク信号送信部１５ａが第１キャリアにおける下りリンク信号を送信するか否かに加えて、第２キャリアにおける上りリンク信号の送信電力、送信帯域幅、変調方式、送信周波数、ＭＣＳレベル、所要のＳＩＲの少なくとも１つに基づいて、第１キャリアにおける上りリンク信号及び第２キャリアにおける上りリンク信号の同時送信を指示するか否かについて決定するように構成されていてもよい。
【０２１５】
例えば、第１キャリア上りリンク送信指示部１６ａ及び第２キャリア上りリンク送信指示部１６ｂは、４タイムフレーム後のタイムフレームにおいて第１キャリア下りリンク信号送信部１５ａが第１キャリアにおける下りリンク信号を送信し、かつ、前記第２キャリアにおける上りリンク信号の送信電力が所定の閾値以上である場合に、第１キャリアにおける上りリンク信号及び第２キャリアにおける上りリンク信号の同時送信の送信指示を行わないと決定し、それ以外の場合に、第１キャリアにおける上りリンク信号及び第２キャリアにおける上りリンク信号の同時送信の送信指示を行うと決定してもよい。
【０２１６】
ここで、前記所定の閾値は、一例として、０ｄＢｍという値であってもよい。また、前記第２キャリアにおける上りリンク信号の送信電力は、例えば、ユーザ装置ＵＥから通知されるＰｏｗｅｒ  Ｈｅａｄｒｏｏｍから算出されてもよい。
【０２１７】
また、第１キャリア上りリンク送信指示部１６ａ及び第２キャリア上りリンク送信指示部１６ｂは、第１キャリア下りリンク信号送信部１５ａが第１キャリアにおける下りリンク信号を送信するか否かに加えて、ユーザ装置ＵＥと基地局装置ｅＮＢとの間のパスロスに基づいて、第１キャリアにおける上りリンク信号及び第２キャリアにおける上りリンク信号の同時送信を指示するか否かについて決定するように構成されていてもよい。
【０２１８】
また、第２キャリア上りリンク送信指示部１６ｂは、第１キャリア下りリンク信号送信部１５ａ及び第２キャリア下りリンク信号送信部１５ｂが第１キャリアにおける下りリンク信号及び第２キャリアにおける下りリンク信号の同時送信を行うか否かに加えて、第２キャリアにおける上りリンク信号の送信電力、送信帯域幅、変調方式、送信周波数、ＭＣＳレベル、所要のＳＩＲの少なくとも１つに基づいて、第２キャリアにおける上りリンク信号の送信指示を行うか否かについて決定するように構成されていてもよい。
【０２１９】
例えば、第２キャリア上りリンク送信指示部１６ｂは、４タイムフレーム後のタイムフレームにおいて第１キャリア下りリンク信号送信部１５ａ及び第２キャリア下りリンク信号送信部１５ｂが第１キャリアにおける下りリンク信号及び第２キャリアにおける下りリンク信号の同時送信を行い、かつ、前記第２キャリアにおける上りリンク信号の送信電力が所定の閾値以上である場合に、第２キャリアにおける上りリンク信号の送信指示を行わないと決定し、それ以外の場合に、第２キャリアにおける上りリンク信号の送信指示を行うと決定してもよい。
【０２２０】
ここで、前記所定の閾値は、一例として、０ｄＢｍという値であってもよい。また、前記第２キャリアにおける上りリンク信号の送信電力は、例えば、ユーザ装置ＵＥから通知されるＰｏｗｅｒ  Ｈｅａｄｒｏｏｍから算出されてもよい。
【０２２１】
或いは、例えば、第２キャリア上りリンク送信指示部１６ｂは、４タイムフレーム後のタイムフレームにおいて第１キャリア下りリンク信号送信部１５ａ及び第２キャリア下りリンク信号送信部１５ｂが第１キャリアにおける下りリンク信号及び第２キャリアにおける下りリンク信号の同時送信を行い、かつ、前記第２キャリアにおける上りリンク信号の送信帯域幅が所定の閾値以上である場合に、第２キャリアにおける上りリンク信号の送信指示を行わないと決定し、それ以外の場合に、第２キャリアにおける上りリンク信号の送信指示を行うと決定してもよい。
【０２２２】
ここで、前記送信帯域幅は、一例として、１ＭＨｚという値であってもよいし、６リソースブロックという値であってもよい。
【０２２３】
或いは、例えば、第２キャリア上りリンク送信指示部１６ｂは、４タイムフレーム後のタイムフレームにおいて第１キャリア下りリンク信号送信部１５ａ及び第２キャリア下りリンク信号送信部１５ｂが第１キャリアにおける下りリンク信号及び第２キャリアにおける下りリンク信号の同時送信を行い、かつ、前記第２キャリアにおける上りリンク信号の送信電力が所定の第１閾値以上であり、かつ、前記第２キャリアにおける上りリンク信号の送信帯域幅が所定の第２閾値以上である場合に、第２キャリアにおける上りリンク信号の送信指示を行わないと決定し、それ以外の場合に、第２キャリアにおける上りリンク信号の送信指示を行うと決定してもよい。
【０２２４】
さらに、第２キャリア上りリンク送信指示部１６ｂは、第１キャリア下りリンク信号送信部１５ａ及び第２キャリア下りリンク信号送信部１５ｂが第１キャリアにおける下りリンク信号及び第２キャリアにおける下りリンク信号の同時送信を行うか否かに加えて、ユーザ装置ＵＥと基地局装置ｅＮＢとの間のパスロスに基づいて、第２キャリアにおける上りリンク信号の送信指示を行うか否かについて決定するように構成されていてもよい。
【０２２５】
ここで、第２キャリア上りリンク送信指示部１６ｂは、同時通信指示部１４より受信した、ユーザ装置ＵＥとの間のパスロスが所定の閾値以上であり、複数のキャリアを用いた同時通信を行わないという決定に基づいて、第２キャリアにおける上りリンク信号の送信指示を行うか否かについて決定するように構成されていてもよい。
【０２２６】
すなわち、第２キャリア上りリンク送信指示部１６ｂは、４タイムフレーム後のタイムフレームにおいて第１キャリア下りリンク信号送信部１５ａ及び第２キャリア下りリンク信号送信部１５ｂが第１キャリアにおける下りリンク信号及び第２キャリアにおける下りリンク信号の同時送信を行い、かつ、同時通信指示部１４より、ユーザ装置ＵＥとの間のパスロスが所定の閾値以上であり、複数のキャリアを用いた同時通信を行わないという決定を受け取っている場合に、第２キャリアにおける上りリンク信号の送信指示を行わないと決定し、それ以外の場合に、第２キャリアにおける上りリンク信号の送信を行うと決定してもよい。
【０２２７】
また、第２キャリア上りリンク送信指示部１６ｂは、４タイムフレーム後のタイムフレームにおいて第１キャリア下りリンク信号送信部１５ａ及び第２キャリア下りリンク信号送信部１５ｂが第１キャリアにおける下りリンク信号及び第２キャリアにおける下りリンク信号の同時送信を行うか否かとパスロスに加えて、第２キャリアにおける上りリンク信号の送信電力、送信帯域幅、変調方式、送信周波数、ＭＣＳレベル、所要のＳＩＲの少なくとも１つに基づいて、第２キャリアにおける上りリンク信号の送信指示を行うか否かについて決定するように構成されていてもよい。
【０２２８】
上りリンク信号受信部１７は、第１キャリア上りリンク信号受信部１７ａと、第２キャリア上りリンク信号受信部１７ｂとを具備している。
【０２２９】
第１キャリア上りリンク信号受信部１７ａは、ユーザ装置ＵＥから送信される第１キャリアにおける上りリンク信号を受信するように構成されており、第２キャリア上りリンク信号受信部１７ｂは、第２キャリアにおける上りリンク信号を受信するように構成されている。
【０２３０】
メジャメント指示部１８は、ユーザ装置ＵＥに対して、測定処理（Ｍｅａｓｕｒｅｍｅｎｔ）を行うキャリアを指示するように構成されている。ここで、測定処理（Ｍｅａｓｕｒｅｍｅｎｔ）とは、例えば、下りリンクのリファレンス信号の受信電力を測定する処理であってもよい。
【０２３１】
ここで、下りリンクのリファレンス信号の受信電力は、ＲＳＲＰ（Ｒｅｆｅｒｅｎｃｅ  Ｓｉｇｎａｌ  Ｒｅｃｅｉｖｅｄ  Ｐｏｗｅｒ）と呼ばれてもよい。また、前記測定処理には、同期信号を用いて、下りリンクのセルを検出するセルサーチの処理が含まれていてもよい。
【０２３２】
また、前記測定処理において、前記ＲＳＲＰに加えて、ＲＳＲＱ（Ｒｅｆｅｒｅｎｃｅ  Ｓｉｇｎａｌ  Ｒｅｃｅｉｖｅｄ  Ｑｕａｌｉｔｙ）やＳＩＲ、ＣＱＩが測定されてもよい。
【０２３３】
ここで、ＲＳＲＱ（Ｒｅｆｅｒｅｎｃｅ  Ｓｉｇｎａｌ  Ｒｅｃｅｉｖｅｄ  Ｑｕａｌｉｔｙ）とは、下りリンクの参照信号の受信電力を、下りリンクのＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値である。
【０２３４】
ここで、ＲＳＳＩとは、移動局において観測されるトータルの受信レベルであり、熱雑音や他セルからの干渉電力や、自セルからの希望信号の電力等の全てを含んだ受信レベルのことである。
【０２３５】
また、ＣＱＩ（Ｃｈａｎｎｅｌ  Ｑｕａｌｉｔｙ  Ｉｎｄｉｃａｔｏｒ）とは、下りリンクの無線品質情報である。
【０２３６】
ここで、メジャメント指示部１８は、ユーザ装置に対して、第２キャリアにおいて、測定処理（Ｍｅａｓｕｒｅｍｅｎｔ）を行うように指示するように構成されていてもよい。
【０２３７】
この場合、第１キャリアと第２キャリアを用いてユーザ装置ＵＥと基地局装置ｅＮＢとの間で無線通信が行われる場合にも、ユーザ装置は、第２キャリアにおいて、測定処理（Ｍｅａｓｕｒｅｍｅｎｔ）を行う。
【０２３８】
また、例えば、メジャメント指示部１８は、ユーザ装置ＵＥと基地局装置ｅＮＢとの間のパスロスに基づいて、第２キャリアにおいて測定処理（Ｍｅａｓｕｒｅｍｅｎｔ）を行うように指示するように構成されていてもよい。
【０２３９】
すなわち、メジャメント指示部１８は、前記パスロスが所定の閾値以上である場合に、ユーザ装置に対して、第２キャリアにおいて測定処理（Ｍｅａｓｕｒｅｍｅｎｔ）を行うように指示し、それ以外の場合に、ユーザ装置に対して、第１キャリアにおいて、あるいは、第１キャリアと第２キャリアの両方において測定処理（Ｍｅａｓｕｒｅｍｅｎｔ）を行うように指示してもよい。
【０２４０】
なお、上述した例においては、パスロスに基づいて、メジャメントを行うキャリアが決定されたが、代わりに、上りリンクの信号の送信電力、送信帯域幅、変調方式、送信周波数ＭＣＳレベル、所要のＳＩＲの少なくとも１つに基づいて、メジャメントを行うキャリアが決定されてもよい。
【０２４１】
さらに、例えば、メジャメント指示部１８は、第１キャリア及び第２キャリアの同時通信を行うことができるユーザ装置ＵＥ（すなわち、「Ｃａｒｒｉｅｒ  ａｇｇａｒｅｇａｔｉｏｎ」の「Ｃａｐａｂｉｌｉｔｙ（能力）」を有するユーザ装置ＵＥ）に対して、第２キャリアにおいてメジャメントを行うように指示するように構成されており、第１キャリア及び第２キャリアの同時通信を行うことができないユーザ装置ＵＥ（すなわち、「Ｃａｒｒｉｅｒ  ａｇｇａｒｅｇａｔｉｏｎ」の「Ｃａｐａｂｉｌｉｔｙ（能力）」を持たないユーザ装置ＵＥ）に対して、第１キャリアにおいてメジャメントを行うように指示するように構成されていてもよい。
【０２４２】
また、メジャメント指示部１８は、ユーザ装置に対して、第１キャリアと第２キャリアの両方において、測定処理（Ｍｅａｓｕｒｅｍｅｎｔ）を行うように指示するように構成されていてもよい。この場合、後述するように、ユーザ装置ＵＥにおいて、第２キャリアの上りリンクの信号の影響を受けないように、第１キャリアのＭｅａｓｕｒｅｍｅｎｔが行われる。
【０２４３】
図３に示すように、本実施形態に係るユーザ装置ＵＥは、制御信号受信部２１と、測定報告送信部２２Ａと、測定部２２Ｂと、制御信号送信部２３と、上りリンク信号送信部２４と、下りリンク信号受信部２５とを具備している。
【０２４４】
制御信号受信部２１は、基地局装置ｅＮＢによって送信された下りリンクの制御チャネル信号（ＰＤＣＣＨ：Ｐｈｙｓｉｃａｌ  Ｄｏｗｎｌｉｎｋ  Ｃｏｎｔｒｏｌ  Ｃｈａｎｎｅｌ）を受信するように構成されている。
【０２４５】
ここで、下りリンクの制御チャネル信号には、上りリンクの送信を指示する下りリンクの制御信号や下りリンクの送信を通知する下りリンクの制御信号が含まれる。前記上りリンクの送信を指示する下りリンクの制御信号は、上りリンク信号送信部２４に通知される。また、前記下りリンクの送信を通知する下りリンクの制御信号は、下りリンク信号受信部２５に通知される。
【０２４６】
測定部２２Ｂは、第１キャリア及び第２キャリアにおける測定処理（ＭｅａｓｕｒｅｍｅｎｔやＣＱＩ測定）を行うように構成されている。
【０２４７】
まず、Ｍｅａｓｕｒｅｍｅｎｔに関して説明を行う。ここで、Ｍｅａｓｕｒｅｍｅｎｔとは、下りリンクのリファレンス信号の受信電力（ＲＳＲＰ）の測定やＲＳＲＱの測定、ＳＩＲの測定等を指す。前記ＲＳＲＰやＲＳＲＱは、ハンドオーバを行うべきか否かの判定に用いられてもよい。また、前記Ｍｅａｓｕｒｅｍｅｎｔには、セルを検出するためのセルサーチの処理が含まれてもよい。
【０２４８】
例えば、測定部２２Ｂは、基地局装置ｅＮＢにおけるメジャメント指示部１８から、第２キャリアのＭｅａｓｕｒｅｍｅｎｔのみを指定されている場合には、任意のタイミングで、第２キャリアのＭｅａｓｕｒｅｍｅｎｔを行ってもよい。この場合、第１キャリアと第２キャリアを用いてユーザ装置ＵＥと基地局装置ｅＮＢとの間で無線通信が行われる場合にも、Ｍｅａｓｕｒｅｍｅｎｔは、第２キャリアでのみ行われる。ここで、基地局装置ｅＮＢからのメジャメントの指示は、例えば、下りリンク信号受信部２５経由で、測定部２２Ｂに通知されてもよい。また、前記メジャメントの指示は、ＲＲＣメッセージや報知チャネルに含まれる情報の一部として通知されてもよい。
【０２４９】
また、例えば、測定部２２Ｂは、基地局装置ｅＮＢから、第１キャリアのＭｅａｓｕｒｅｍｅｎｔと第２キャリアのＭｅａｓｕｒｅｍｅｎｔを指示されている場合に、第２キャリアのＭｅａｓｕｒｅｍｅｎｔに関しては、任意のタイミングでＭｅａｓｕｒｅｍｅｎｔを行い、第１キャリアのＭｅａｓｕｒｅｍｅｎｔに関しては、第２キャリアにおける上りリンク信号が送信されていないタイミングにおいてのみＭｅａｓｕｒｅｍｅｎｔを行ってもよい。前記タイミングは、タイムフレームやサブフレームであってもよい。
【０２５０】
或いは、例えば、測定部２２Ｂは、基地局装置ｅＮＢから、第１キャリアのＭｅａｓｕｒｅｍｅｎｔ及び第２キャリアのＭｅａｓｕｒｅｍｅｎｔを指示されている場合に、第２キャリアのＭｅａｓｕｒｅｍｅｎｔに関しては、任意のタイミングでＭｅａｓｕｒｅｍｅｎｔを行い、第１キャリアのＭｅａｓｕｒｅｍｅｎｔに関しては、ユーザ装置ＵＥと基地局装置ｅＮＢとの間のパスロスが所定閾値以上である場合に、第２キャリアにおける上りリンク信号が送信されていないタイミングにおいてのみＭｅａｓｕｒｅｍｅｎｔを行い、ユーザ装置ＵＥと基地局装置ｅＮＢとの間のパスロスが所定閾値未満である場合に、任意のタイミングでＭｅａｓｕｒｅｍｅｎｔを行うという動作を行ってもよい。前記タイミングは、タイムフレームやサブフレームであってもよい。
【０２５１】
測定部２２ＢにおけるＭｅａｓｕｒｅｍｅｎｔの測定結果、例えば、ＲＳＲＰやＲＳＲＱ等は、測定報告送信部２２Ａに送られる。
【０２５２】
測定報告送信部２２Ａは、測定部２２ＢにおけるＭｅａｓｕｒｅｍｅｎｔの測定結果（ＲＳＲＰやＲＳＲＱ等）を含む測定報告「Ｍｅａｓｕｒｅｍｅｎｔ  Ｒｅｐｏｒｔ」を送信するように構成されている。
【０２５３】
また、前記Ｍｅａｓｕｒｅｍｅｎｔ  Ｒｅｐｏｒｔは、実際には、上りリンク信号送信部２４経由で基地局装置ｅＮＢに送信されてもよい。
【０２５４】
次に、ＣＱＩ測定に関して説明を行う。ここで、ＣＱＩは、Ｃｈａｎｎｅｌ  Ｓｔａｔｅ  ＩｎｄｉｃａｔｏｒあるいはＣｈａｎｎｅｌ  Ｓｔａｔｅ  Ｉｎｆｏｒｍａｔｉｏｎ（ＣＳＩ）と呼ばれてもよい。また、ＣＳＩは、ＣＱＩやＲａｎｋ  Ｉｎｄｉｃａｔｏｒ（ＲＩ）、Ｐｒｅ-ｃｏｄｉｎｇ  Ｍａｔｒｉｘ  ＩｎｄｉｃａｔｏｒあるいはＰｒｅ-ｃｏｄｉｎｇ  Ｍａｔｒｉｘ  Ｉｎｆｏｒｍａｔｉｏｎ（ＰＭＩ）等を含んだ情報であってもよい。
【０２５５】
一般に、ＣＱＩは、下りリンクのＬｉｎｋ  Ａｄａｐｔａｔｉｏｎに用いられるため、第１キャリアと第２キャリアを用いてユーザ装置ＵＥと基地局装置ｅＮＢとの間で無線通信が行われる場合には、第１キャリアと第２キャリアの両方において、ＣＱＩの測定が行われる。
【０２５６】
この場合、測定部２２Ｂは、第２キャリアのＣＱＩ測定に関しては、任意のタイミングでＣＱＩ測定を行い、第１キャリアのＣＱＩ測定に関しては、第２キャリアにおける上りリンク信号が送信されていないタイミングにおいてのみＣＱＩ測定を行ってもよい。前記タイミングは、タイムフレームやサブフレームであってもよい。
【０２５７】
或いは、例えば測定部２２Ｂは、第２キャリアのＣＱＩ測定に関しては、任意のタイミングでＣＱＩ測定を行い、第１キャリアのＣＱＩ測定に関しては、ユーザ装置ＵＥと基地局装置ｅＮＢとの間のパスロスが所定の閾値以上である場合に、第２キャリアにおける上りリンク信号が送信されていないタイミングにおいてのみＣＱＩ測定を行い、ユーザ装置ＵＥと基地局装置ｅＮＢとの間のパスロスが所定の閾値未満である場合に、任意のタイミングにおいてＣＱＩ測定を行うという処理を行ってもよい。前記タイミングは、タイムフレームやサブフレームであってもよい。尚、前記CQIの測定は、CQI測定用のリファレンス信号によって行われてもよい。
【０２５８】
測定部２２ＢにおけるＣＱＩの測定結果は、測定報告送信部２２Ａに送られる。
【０２５９】
測定報告送信部２２Ａは、測定部２２ＢにおけるＣＱＩの測定結果を送信するように構成されている。なお、前記ＣＱＩの測定結果は、実際には、上りリンク信号送信部２４経由で基地局装置ｅＮＢに送信されてもよい。この場合、前記ＣＱＩは、上りリンクの制御チャネル信号（ＰＵＣＣＨ）にマッピングされてもよいし、上りリンクの共有チャネル信号（ＰＵＳＣＨ）にマッピングされてもよい。
【０２６０】
制御信号送信部２３は、基地局装置ｅＮＢに対して、ユーザ装置ＵＥの「Ｃａｐａｂｉｌｉｔｙ（能力）」を通知する上述の制御信号を送信するように構成されている。尚、上述の制御信号の詳細は、制御信号受信部１３の説明と同一であるため省略する。
【０２６１】
上りリンク信号送信部２４は、第１キャリア上りリンク信号送信部２４ａと、第２キャリア上りリンク信号送信部２４ｂとを具備している。
【０２６２】
第１キャリア上りリンク信号送信部２４ａは、制御信号受信部２１によって受信された制御信号、すなわち、上りリンクの送信を指示する下りリンクの制御信号に基づいて、第１キャリアにおける上りリンク信号を送信するように構成されている。
【０２６３】
また、第２キャリア上りリンク信号送信部２４ｂは、制御信号受信部２１によって受信された制御信号、すなわち、上りリンクの送信を指示する下りリンクの制御信号に基づいて、第２キャリアにおける上りリンク信号を送信するように構成されている。
【０２６４】
下りリンク信号受信部２５は、第１キャリア下りリンク信号受信部２５ａと、第２キャリア下りリンク信号受信部２５ｂとを具備している。
【０２６５】
第１キャリア下りリンク信号受信部２５ａは、制御信号受信部２１によって受信された制御信号、すなわち、下りリンクの送信を通知する下りリンクの制御信号に基づいて、第１キャリアにおける下りリンク信号を受信するように構成されている。
【０２６６】
また、第２キャリア下りリンク信号受信部２５ｂは、制御信号受信部２１によって受信された制御信号、すなわち、下りリンクの送信を通知する下りリンクの制御信号に基づいて、第２キャリアにおける下りリンク信号を受信するように構成されている。
【０２６７】
（本発明の第１の実施形態に係る移動通信システムの動作）
以下、図４を参照して、本発明の第１の実施形態に係る移動通信システムの動作について説明する。
【０２６８】
図４に示すように、ステップＳ１００１において、ユーザ装置ＵＥが、基地局装置ｅＮＢに対して、ユーザ装置ＵＥの「Ｃａｐａｂｉｌｉｔｙ」や、同時に通信可能なキャリアの情報や、同時に通信可能なキャリアの中で上りリンク信号の送信が可能なキャリアの情報を含む制御信号を送信する。
【０２６９】
ステップＳ１００２において、基地局装置ｅＮＢは、受信した制御信号に基づいて、上述した方法で、上りリンク及び下りリンクにおいて、スケジューリング処理を行う。ここで、前記スケジューリング処理とは、下りリンク信号送信部１５または上りリンク送信指示部１６における処理に対応する。
【０２７０】
ステップＳ１００３において、基地局装置ｅＮＢは、ユーザ装置ＵＥに対して、かかるスケジューリング結果を含む制御信号を送信する。
【０２７１】
スケジューリング対象のユーザ装置ＵＥは、かかる制御信号に基づいて、上りリンク信号の送信或いは下りリンク信号の受信を行う。
【０２７２】
なお、上述のステップＳ１００２、Ｓ１００３において、上述した処理の代わりに、ステップＳ１００２において、基地局装置ｅＮＢは、受信した制御信号に基づいて、上述した方法でアンカーキャリアを設定し、ステップＳ１００３において、基地局装置ｅＮＢは、決定された前記アンカーキャリアを、ユーザ装置ＵＥに対して通知してもよい。
【０２７３】
ここで、前記アンカーキャリアの通知は、物理レイヤでの通知であってもよいし、ＭＡＣレイヤでの通知であってもよいし、ＲＲＣレイヤでの通知であってもよい。ＭＡＣレイヤでの通知が行われる場合には、ＭＡＣ  ｃｏｎｔｒｏｌ  ｅｌｅｍｅｍｎｔを用いて、前記アンカーキャリアの通知が行われてもよい。
【０２７４】
或いは、上述のステップＳ１００２、Ｓ１００３において、上述した処理の代わりに、ステップＳ１００２において、基地局装置ｅＮＢは、受信した制御信号に基づいて、上述した方法で下りリンク信号のための無線リソースを割り当て、ステップＳ１００３において、基地局装置ｅＮＢは、決定された前記下りリンク信号のための無線リソースを、ユーザ装置ＵＥに対して通知してもよい。
【０２７５】
ここで、前記通知は、物理レイヤでの通知であってもよいし、ＭＡＣレイヤでの通知であってもよいし、ＲＲＣレイヤでの通知であってもよい。前記下りリンク信号のための無線リソースの割り当て処理は、下りリンクリソース割り当て部１１における処理に対応する。
【０２７６】
或いは、上述のステップＳ１００２、Ｓ１００３において、上述した処理の代わりに、ステップＳ１００２において、基地局装置ｅＮＢは、受信した制御信号に基づいて、上述した方法で上りリンク信号のための無線リソースを割り当て、ステップＳ１００３において、基地局装置ｅＮＢは、決定された前記上りリンク信号のための無線リソースを、ユーザ装置ＵＥに対して通知してもよい。
【０２７７】
ここで、前記通知は、物理レイヤでの通知であってもよいし、ＭＡＣレイヤでの通知であってもよいし、ＲＲＣレイヤでの通知であってもよい。前記上りリンク信号のための無線リソースの割り当て処理は、上りリンクリソース割り当て部１２における処理に対応する。
【０２７８】
或いは、上述のステップＳ１００２、Ｓ１００３において、上述した処理の代わりに、ステップＳ１００２において、基地局装置ｅＮＢは、受信した制御信号に基づいて、上述した方法でメジャメントを行うキャリアを決定し、ステップＳ１００３において、基地局装置ｅＮＢは、決定されたキャリアでのメジャメントを指示する信号を、ユーザ装置ＵＥに対して通知してもよい。
【０２７９】
ここで、前記通知は、物理レイヤでの通知であってもよいし、ＭＡＣレイヤでの通知であってもよいし、ＲＲＣレイヤでの通知であってもよい。前記メジャメントを行うキャリアの決定処理は、メジャメント指示部１８における処理に対応する。また、ステップＳ１００１における上記制御信号は、ユーザ装置ＵＥから基地局装置eNBに直接、通知される代わりに、いったん、ユーザ装置UEから上位ノードに通知され、前記上位ノードから基地局装置eNBに通知されてもよい。前記上位ノードは、MME（Mobility Management Entity）であってもよい。
【０２８０】
以下、図１１を参照して、本発明の第１の実施形態に係る移動通信システムの動作について説明する。
【０２８１】
図１１に示すように、ステップＳ１０１において、第２キャリアにおいて上りリンク信号が送信されるか否かを判定する。
【０２８２】
第２キャリアにおいて上りリンク信号が送信される場合（ステップＳ１０１：ＹＥＳ）、ステップＳ１０２において、第１キャリアにおいて下りリンク信号の送信を行わない。
【０２８３】
一方、第２キャリアにおいて上りリンク信号が送信されない場合（ステップＳ１０１：ＮＯ）、ステップＳ１０３において、第１キャリアにおいて下りリンク信号の送信を行う。
【０２８４】
この場合、第１キャリアにおいて下りリンク信号が送信されるタイムフレームにおいて、第２キャリアの上りリンク信号が送信されないため、第２キャリアの上りリンク信号による、下りリンク信号の受信特性の劣化を回避することが可能となる。
【０２８５】
以下、図１２を参照して、本発明の第１の実施形態に係る移動通信システムの動作について説明する。
【０２８６】
図１２に示すように、ステップＳ２０１において、４サブフレーム後に第１キャリアにおいて下りリンク信号が送信されるか否かを判定する。
【０２８７】
４サブフレーム後に第１キャリアにおいて下りリンク信号が送信される場合（ステップＳ２０１：ＹＥＳ）、ステップＳ２０２において、第２キャリアにおける上りリンク信号の送信指示を行わない。この場合、４サブフレーム後において、第２キャリアにおける上りリンク信号の送信は行われない。
【０２８８】
一方、４サブフレーム後に第１キャリアにおいて下りリンク信号が送信されない場合（ステップＳ２０１：ＮＯ）、ステップＳ２０３において、第２キャリアにおける上りリンク信号の送信指示を行う。
【０２８９】
この場合、第１キャリアにおいて下りリンク信号が送信されるタイムフレームにおいて、第２キャリアの上りリンク信号が送信されないため、第２キャリアの上りリンク信号による、第１キャリアの下りリンク信号の受信特性の劣化を回避することが可能となる。
以下、図１３を参照して、本発明の第１の実施形態に係る移動通信システムの動作について説明する。
【０２９０】
図１３に示すように、ステップＳ３０１において、第２キャリアにおいて上りリンク信号が送信されるか否かを判定する。
【０２９１】
第２キャリアにおいて上りリンク信号が送信される場合（ステップＳ３０１：ＹＥＳ）、ステップＳ３０２において、パスロスが所定の閾値以上であるか否かを判定する。
【０２９２】
パスロスが所定の閾値以上である場合（ステップＳ３０２：ＹＥＳ）、ステップＳ３０３において、第１キャリアにおいて下りリンク信号の送信を行わない。
【０２９３】
一方、第２キャリアにおいて上りリンク信号が送信されない場合（ステップＳ３０１：ＮＯ）、または、パスロスが所定の閾値以上でない場合（ステップＳ３０２：ＮＯ）、ステップＳ３０４において、第１キャリアにおいて下りリンク信号の送信を行う。
【０２９４】
この場合、第１キャリアにおいて下りリンク信号が送信されるタイムフレームにおいて、第２キャリアの上りリンク信号が送信されないため、あるいは、第２キャリアの上りリンク信号が送信されたとしても、パスロスが小さく、その送信電力が小さいため、第２キャリアの上りリンク信号による、第１キャリアの下りリンク信号の受信特性の劣化を回避することが可能となる。
【０２９５】
尚、上述した例においては、第２キャリアの上りリンク信号が送信されるか否かと、パスロスに基づいて、第１キャリアにおいて下りリンク信号の送信を行うか否かの判定を行ったが、代わりに、第２キャリアの上りリンク信号が送信されるか否かと、上りリンク信号の送信電力や送信帯域幅、変調方式、ＭＣＳレベル、所要のＳＩＲ等に基づいて、第１キャリアにおいて下りリンク信号の送信を行うか否かの判定を行ってもよい。
以下、図１４を参照して、本発明の第１の実施形態に係る移動通信システムの動作について説明する。
【０２９６】
図１４に示すように、ステップＳ４０１において、４サブフレーム後に第１キャリアにおいて下りリンク信号が送信されるか否かを判定する。
【０２９７】
４サブフレーム後に第１キャリアにおいて下りリンク信号が送信される場合（ステップＳ４０１：ＹＥＳ）、ステップＳ４０２において、パスロスが所定の閾値以上であるか否かを判定する。
【０２９８】
パスロスが所定の閾値以上である場合（ステップＳ４０２：ＹＥＳ）、ステップＳ４０３において、第２キャリアにおける上りリンク信号の送信指示を行わない。
【０２９９】
一方、４サブフレーム後に第１キャリアにおいて下りリンク信号が送信されない場合（ステップＳ４０１：ＮＯ）、または、パスロスが所定の閾値以上でない場合（ステップＳ４０２：ＮＯ）、ステップＳ４０４において、第２キャリアにおける上りリンク信号の送信指示を行う。
【０３００】
この場合、第１キャリアにおいて下りリンク信号が送信されるタイムフレームにおいて、第２キャリアの上りリンク信号が送信されないため、あるいは、第２キャリアの上りリンク信号が送信されたとしても、パスロスが小さく、その送信電力が小さいため、第２キャリアの上りリンク信号による、第１キャリアの下りリンク信号の受信特性の劣化を回避することが可能となる。
【０３０１】
なお、上述した例においては、４サブフレーム後に第１キャリアの下りリンク信号が送信されるか否かと、パスロスに基づいて、第２キャリアにおける上りリンク信号の送信指示を行うか否かの判定を行ったが、代わりに、４サブフレーム後に第１キャリアの下りリンク信号が送信されるか否かと、上りリンク信号の送信電力や送信帯域幅、変調方式、ＭＣＳレベル、所要のＳＩＲ等に基づいて、第２キャリアにおける上りリンク信号の送信指示を行うか否かの判定を行ってもよい。
以下、図１５を参照して、本発明の第１の実施形態に係る移動通信システムの動作について説明する。
【０３０２】
図１５に示すように、ステップＳ５０１において、パスロスが所定の閾値以上であるか否かを判定する。
【０３０３】
パスロスが所定の閾値以上である場合（ステップＳ５０１：ＹＥＳ）、ステップＳ５０２において、第２キャリアにおいて下りリンク信号の無線リソースを割り当てる。
【０３０４】
一方、パスロスが所定の閾値以上でない場合（ステップＳ５０１：ＮＯ）、ステップＳ５０３において、第１キャリアにおいて下りリンク信号の無線リソースを割り当てる。
【０３０５】
この場合、ＰＨＩＣＨやＰＤＣＣＨ等の下りリンク信号が、第２キャリアの上りリンク信号から干渉を受けないため、その受信特性の劣化を回避することが可能となる。
【０３０６】
なお、上述した例においては、パスロスに基づいて、下りリンク信号の無線リソースを割り当てるキャリアの選択を行ったが、代わりに、上りリンク信号の送信電力や送信帯域幅、変調方式、ＭＣＳレベル、所要のＳＩＲ等に基づいて、下りリンク信号の無線リソースを割り当てるキャリアの選択を行ってもよい。
【０３０７】
以下、図１６を参照して、本発明の第１の実施形態に係る移動通信システムの動作について説明する。
【０３０８】
図１６に示すように、ステップＳ６０１において、パスロスが所定の閾値以上であるか否かを判定する。
【０３０９】
パスロスが所定の閾値以上である場合（ステップＳ６０１：ＹＥＳ）、ステップＳ６０２において、第１キャリアにおいて上りリンク信号の無線リソースを割り当てる。
【０３１０】
一方、パスロスが所定の閾値以上でない場合（ステップＳ６０１：ＮＯ）、ステップＳ６０３において、第２キャリアにおいて上りリンク信号の無線リソースを割り当てる。
【０３１１】
この場合、ＰＵＣＣＨやＰＲＡＣＨ、サウンディング用のリファレンス信号等の上りリンク信号が、第１キャリアの下りリンク信号に対して干渉を与えないため、その下りリンク信号の受信特性の劣化を回避することが可能となる。
【０３１２】
なお、上述した例においては、パスロスに基づいて、上りリンク信号の無線リソースを割り当てるキャリアの選択を行ったが、代わりに、上りリンク信号の送信電力や送信帯域幅、変調方式、ＭＣＳレベル、所要のＳＩＲ等に基づいて、上りリンク信号の無線リソースを割り当てるキャリアの選択を行ってもよい。
【０３１３】
以下、図１７を参照して、本発明の第１の実施形態に係る移動通信システムの動作について説明する。
【０３１４】
図１７に示すように、ステップＳ７０１において、ユーザ装置ＵＥがＣａｒｒｉｅｒ  ＡｇｇｒｅｇａｔｉｏｎのＣａｐａｂｉｌｉｔｙを有するか否かを判定する。
【０３１５】
ユーザ装置ＵＥがＣａｒｒｉｅｒ  ＡｇｇｒｅｇａｔｉｏｎのＣａｐａｂｉｌｉｔｙを有する場合（ステップＳ７０１：ＹＥＳ）、ステップＳ７０２において、第２キャリアにおいて下りリンク信号の無線リソースを割り当てる。
【０３１６】
一方、ユーザ装置ＵＥがＣａｒｒｉｅｒ  ＡｇｇｒｅｇａｔｉｏｎのＣａｐａｂｉｌｉｔｙを持たない場合（ステップＳ７０１：ＮＯ）、ステップＳ７０３において、第１キャリアにおいて下りリンク信号の無線リソースを割り当てる。
【０３１７】
この場合、Ｃａｒｒｉｅｒ  ａｇｇｒｅｇａｔｉｏｎを持つ／持たないに応じて、下りリンク信号の無線リソースの分散化を行い、かつ、ＰＨＩＣＨやＰＤＣＣＨ等の下りリンク信号が、第２キャリアの上りリンク信号から干渉を受けないようにすることが可能となる。  尚、前記例において、ステップS702において、第1キャリアをプライマリキャリアとして設定することにより、第1キャリアにおいて下りリンク信号の無線リソースを割り当て、ステップS703において、第2キャリアを用いて通信を行うように設定することにより、第２キャリアにおいて下りリンク信号の無線リソースを割り当ててもよい。
【０３１８】
以下、図１８を参照して、本発明の第１の実施形態に係る移動通信システムの動作について説明する。
【０３１９】
図１８に示すように、ステップＳ８０１において、ユーザ装置ＵＥがＣａｒｒｉｅｒ  ＡｇｇｒｅｇａｔｉｏｎのＣａｐａｂｉｌｉｔｙを有するか否かを判定する。
【０３２０】
ユーザ装置ＵＥがＣａｒｒｉｅｒ  ＡｇｇｒｅｇａｔｉｏｎのＣａｐａｂｉｌｉｔｙを有する場合（ステップＳ８０１：ＹＥＳ）、ステップＳ８０２において、第１キャリアにおいて上りリンク信号の無線リソースを割り当てる。
【０３２１】
一方、ユーザ装置ＵＥがＣａｒｒｉｅｒ  ＡｇｇｒｅｇａｔｉｏｎのＣａｐａｂｉｌｉｔｙを持たない場合（ステップＳ８０１：ＮＯ）、ステップＳ８０３において、第２キャリアにおいて上りリンク信号の無線リソースを割り当てる。
【０３２２】
この場合、Ｃａｒｒｉｅｒ  ａｇｇｒｅｇａｔｉｏｎを持つ／持たないに応じて、上りリンク信号の無線リソースの分散化を行い、かつ、ＰＵＣＣＨやサウンディング用のリファレンス信号等の上りリンク信号が、第１キャリアの下りリンク信号に対して干渉を与えないようにすることが可能となる。  尚、前記例において、ステップS802において、第1キャリアをプライマリキャリアとして設定することにより、第1キャリアにおいて上りリンク信号の無線リソースを割り当て、ステップS803において、第2キャリアを用いて通信を行うように設定することにより、第２キャリアにおいて上りリンク信号の無線リソースを割り当ててもよい。
【０３２３】
以下、図１９を参照して、本発明の第１の実施形態に係る移動通信システムの動作について説明する。
【０３２４】
図１９に示すように、ステップＳ９０１において、第２キャリアにおいて上りリンク信号が送信されるか否かを判定する。
【０３２５】
第２キャリアにおいて上りリンク信号が送信される場合（ステップＳ９０１：ＹＥＳ）、ステップＳ９０２において、第１キャリアにおいて測定を行わない。ここで、前記測定とは、ＣＱＩの測定であってもよいし、ＲＳＲＰやＲＳＲＱ等のＭｅａｓｕｒｅｍｅｎｔであってもよい。
【０３２６】
一方、第２キャリアにおいて上りリンク信号が送信されない場合（ステップＳ９０１：ＮＯ）、ステップＳ９０３において、第１キャリアにおいて測定を行う。
【０３２７】
この場合、第２キャリアの上りリンク信号が送信されないタイミングにおいて、第１キャリアの測定を行うため、適切に第１キャリアの測定を行うことが可能となる。
【０３２８】
以下、図２０を参照して、本発明の第１の実施形態に係る移動通信システムの動作について説明する。
【０３２９】
図２０に示すように、ステップＳ１１０１において、ユーザ装置ＵＥがＣａｒｒｉｅｒ  ＡｇｇｒｅｇａｔｉｏｎのＣａｐａｂｉｌｉｔｙを有するか否かを判定する。
【０３３０】
ユーザ装置ＵＥがＣａｒｒｉｅｒ  ＡｇｇｒｅｇａｔｉｏｎのＣａｐａｂｉｌｉｔｙを有する場合（ステップＳ１１０１：ＹＥＳ）、ステップＳ１１０２において、基地局装置ｅＮＢは、ユーザ装置ＵＥに対して、第２キャリアにおけるメジャメントを指示する。ここで、前記測定とは、ＲＳＲＰやＲＳＲＱ等のＭｅａｓｕｒｅｍｅｎｔであってもよい。
【０３３１】
一方、ユーザ装置ＵＥがＣａｒｒｉｅｒ  ＡｇｇｒｅｇａｔｉｏｎのＣａｐａｂｉｌｉｔｙを持たない場合（ステップＳ１１０１：ＮＯ）、ステップＳ１１０３において、基地局装置ｅＮＢは、ユーザ装置ＵＥに対して、第１キャリアにおけるメジャメントを指示する。あるいは、基地局装置ｅＮＢは、ユーザ装置ＵＥに対して、第１キャリアと第２キャリアの両方におけるメジャメントを指示する。
【０３３２】
この場合、第２キャリアの上りリンク信号による影響を受けないようにメジャメントを指示することが可能となり、適切にメジャメントを行うことが可能となる。
【０３３３】
（本発明の第１の実施形態に係る移動通信システムの作用・効果）
本発明の第１の実施形態に係る移動通信システムによれば、第２キャリアにおける上りリンク信号が第１キャリアにおける下りリンク信号に与える干渉の影響を低減することができる。
【０３３４】
以上に述べた本実施形態の特徴は、以下のように表現されていてもよい。
【０３３５】
本実施形態の第１の特徴は、移動通信システム内で、第１キャリア及び第２キャリアを用いて、ユーザ装置ＵＥと無線通信する基地局装置ｅＮＢであって、ユーザ装置ＵＥから送信される第１キャリアにおける上りリンク信号及び第２キャリアにおける上りリンク信号を受信するように構成されている上りリンク信号受信部１７と、ユーザ装置ＵＥに対して、第１キャリアにおける下りリンク信号及び第２キャリアにおける下りリンク信号を送信するように構成されている下りリンク信号送信部１５とを具備し、下りリンク信号送信部１５は、上りリンク信号受信部１７が第２キャリアにおける上りリンク信号を受信するか否かに基づいて、第１キャリアにおける下りリンク信号の送信を行うか否かについて決定するように構成されていることを要旨とする。
【０３３６】
本実施形態の第２の特徴は、移動通信システム内で、第１キャリア及び第２キャリアを用いて、ユーザ装置ＵＥと無線通信する基地局装置ｅＮＢであって、ユーザ装置ＵＥから送信される第１キャリアにおける上りリンク信号及び第２キャリアにおける上りリンク信号を受信するように構成されている上りリンク信号受信部１７と、ユーザ装置ＵＥに対して、第１キャリアにおける下りリンク信号及び第２キャリアにおける下りリンク信号を送信するように構成されている下りリンク信号送信部１５とを具備し、下りリンク信号送信部１５は、上りリンク信号受信部１７が第２キャリアにおける上りリンク信号を受信するか否かに基づいて、第１キャリアにおける下りリンク信号及び第２キャリアにおける下りリンク信号の同時送信を行うか否かについて決定するように構成されていることを要旨とする。
【０３３７】
本実施形態の第３の特徴は、移動通信システム内で、第１キャリア及び第２キャリアを用いて、ユーザ装置ＵＥと無線通信する基地局装置ｅＮＢであって、ユーザ装置ＵＥから送信される第１キャリアにおける上りリンク信号及び第２キャリアにおける上りリンク信号を受信するように構成されている上りリンク信号受信部１７と、ユーザ装置ＵＥに対して、第１キャリアにおける下りリンク信号及び第２キャリアにおける下りリンク信号を送信するように構成されている下りリンク信号送信部１５とを具備し、下りリンク信号送信部１５は、上りリンク信号受信部１７が第１キャリアにおける上りリンク信号及び第２キャリアにおける上りリンク信号の同時受信を行うか否かに基づいて、第１キャリアにおける下りリンク信号の送信を行うか否かについて決定するように構成されていることを要旨とする。
【０３３８】
本実施形態の第１の特徴において、下りリンク信号送信部１５は、上りリンク信号受信部１７が第２キャリアにおける上りリンク信号を受信するタイムフレームにおいて、第１キャリアにおける下りリンク信号を送信しないように構成されており、上りリンク信号受信部１７が第２キャリアにおける上りリンク信号を受信しないタイムフレームにおいて、第１キャリアにおける下りリンク信号を送信するように構成されていてもよい。
【０３３９】
本実施形態の第２の特徴において、下りリンク信号送信部１５は、上りリンク信号受信部１７が第２キャリアにおける上りリンク信号を受信するタイムフレームにおいて、第１キャリアにおける下りリンク信号及び第２キャリアにおける下りリンク信号の同時送信を行わないように構成されており、上りリンク信号受信部１７が第２キャリアにおける上りリンク信号を受信しないタイムフレームにおいて、第１キャリアにおける下りリンク信号及び第２キャリアにおける下りリンク信号の同時送信を行うように構成されていてもよい。
【０３４０】
本実施形態の第３の特徴において、下りリンク信号送信部１５は、上りリンク信号受信部１７が第１キャリアにおける上りリンク信号及び第２キャリアにおける上りリンク信号の同時受信を行うタイムフレームにおいて、第１キャリアにおける下りリンク信号を送信しないように構成されており、上りリンク信号受信部１７が第１キャリアにおける上りリンク信号及び第２キャリアにおける上りリンク信号の同時受信を行わないタイムフレームにおいて、第１キャリアにおける下りリンク信号を送信するように構成されていてもよい。
【０３４１】
本実施形態の第１乃至第３の特徴において、第２キャリアにおける上りリンク信号は、上りリンクの共有チャネル信号、上りリンクのデータチャネル信号、上りリンクの制御チャネル信号、下りリンクのチャネル状態を通知する制御信号、下りリンクの共有チャネル信号の送達確認情報、スケジューリングリクエスト、サウンディング用のリファレンス信号、ランダムアクセスチャネル信号、Ｓｅｍｉ-ｐｅｒｓｉｓｔｅｎｔ  Ｓｃｈｅｄｕｌｉｎｇが適用される上りリンク信号の少なくとも１つであってもよい。
【０３４２】
本実施形態の第１乃至第３の特徴において、第１キャリアにおける下りリンク信号は、下りリンクの共有チャネル信号、下りリンクのデータチャネル信号、下りリンクの制御チャネル信号、上りリンクの送信を指示する下りリンクの制御信号、下りリンクの送信を通知する下りリンクの制御信号、上りリンクの共有チャネル信号の送達確認情報、Ｓｅｍｉ-ｐｅｒｓｉｓｔｅｎｔ  Ｓｃｈｅｄｕｌｉｎｇが適用される下りリンク信号、ページング信号の少なくとも１つであってもよい。
【０３４３】
本実施形態の第１の特徴において、下りリンク信号送信部１５は、上りリンク信号受信部１７が第２キャリアにおける上りリンク信号を受信するか否かに加えて、第２キャリアにおける上りリンク信号の送信電力、送信帯域幅、変調方式、送信周波数、ＭＣＳレベル、所要のＳＩＲの少なくとも１つに基づいて、第１キャリアにおける下りリンク信号の送信を行うか否かについて決定するように構成されていてもよい。
【０３４４】
本実施形態の第２の特徴において、下りリンク信号送信部１５は、上りリンク信号受信部１７が第２キャリアにおける上りリンク信号を受信するか否かに加えて、第２キャリアにおける上りリンク信号の送信電力、送信帯域幅、変調方式、送信周波数、ＭＣＳレベル、所要のＳＩＲの少なくとも１つに基づいて、第１キャリアにおける下りリンク信号及び第２キャリアにおける下りリンク信号の同時送信を行うか否かについて決定するように構成されていてもよい。
【０３４５】
本実施形態の第３の特徴において、下りリンク信号送信部１５は、上りリンク信号受信部１７が第１キャリアにおける上りリンク信号及び第２キャリアにおける上りリンク信号の同時受信を行うか否かに加えて、第２キャリアにおける上りリンク信号の送信電力、送信帯域幅、変調方式、送信周波数、ＭＣＳレベル、所要のＳＩＲの少なくとも１つに基づいて、第１キャリアにおける下りリンク信号の送信を行うか否かについて決定するように構成されていてもよい。
【０３４６】
本実施形態の第１の特徴において、下りリンク信号送信部１５は、上りリンク信号受信部１７が第２キャリアにおける上りリンク信号を受信するか否かに加えて、ユーザ装置ＵＥと基地局装置ｅＮＢとの間のパスロスに基づいて、第１キャリアにおける下りリンク信号の送信を行うか否かについて決定するように構成されていてもよい。
【０３４７】
本実施形態の第２の特徴において、下りリンク信号送信部１５は、上りリンク信号受信部１７が第２キャリアにおける上りリンク信号を受信するか否かに加えて、ユーザ装置ＵＥと基地局装置ｅＮＢとの間のパスロスに基づいて、第１キャリアにおける下りリンク信号及び第２キャリアにおける下りリンク信号の同時送信を行うか否かについて決定するように構成されていてもよい。
【０３４８】
本実施形態の第３の特徴において、下りリンク信号送信部１５は、上りリンク信号受信部１７が第１キャリアにおける上りリンク信号及び第２キャリアにおける上りリンク信号の同時受信を行うか否かに加えて、ユーザ装置ＵＥと基地局装置ｅＮＢとの間のパスロスに基づいて、第１キャリアにおける下りリンク信号の送信を行うか否かについて決定するように構成されていてもよい。
【０３４９】
本実施形態の第４の特徴は、移動通信システム内で、第１キャリア及び第２キャリアを用いて、ユーザ装置ＵＥと基地局装置ｅＮＢとの間で無線通信を行う移動通信方法であって、ユーザ装置ＵＥから送信される第１キャリアにおける上りリンク信号及び第２キャリアにおける上りリンク信号を受信する工程Ａと、ユーザ装置ＵＥに対して、第１キャリアにおける下りリンク信号及び第２キャリアにおける下りリンク信号を送信する工程Ｂとを有し、工程Ｂにおいて、工程Ａにおいて第２キャリアにおける上りリンク信号を受信するか否かに基づいて、第１キャリアにおける下りリンク信号の送信を行うか否かについて決定することを要旨とする。
【０３５０】
本実施形態の第５の特徴は、移動通信システム内で、第１キャリア及び第２キャリアを用いて、ユーザ装置ＵＥと無線通信する基地局装置ｅＮＢであって、ユーザ装置ＵＥに対して、第１キャリアにおける上りリンク信号及び第２キャリアにおける上りリンク信号の送信指示を行うように構成されている上りリンク送信指示部１６と、ユーザ装置ＵＥから送信される第１キャリアにおける上りリンク信号及び第２キャリアにおける上りリンク信号を受信するように構成されている上りリンク信号受信部１７と、ユーザ装置ＵＥに対して、第１キャリアにおける下りリンク信号及び第２キャリアにおける下りリンク信号を送信するように構成されている下りリンク信号送信部１５とを具備し、上りリンク送信指示部１６は、下りリンク信号送信部１５が第１キャリアにおける下りリンク信号を送信するか否かに基づいて、第２キャリアにおける上りリンク信号の送信指示を行うか否かについて決定するように構成されていることを要旨とする。
【０３５１】
本実施形態の第６の特徴は、移動通信システム内で、第１キャリア及び第２キャリアを用いて、ユーザ装置ＵＥと無線通信する基地局装置ｅＮＢであって、ユーザ装置ＵＥに対して、第１キャリアにおける上りリンク信号及び第２キャリアにおける上りリンク信号の送信指示を行うように構成されている上りリンク送信指示部１６と、ユーザ装置ＵＥから送信される第１キャリアにおける上りリンク信号及び第２キャリアにおける上りリンク信号を受信するように構成されている上りリンク信号受信部１７と、ユーザ装置ＵＥに対して、第１キャリアにおける下りリンク信号及び第２キャリアにおける下りリンク信号を送信するように構成されている下りリンク信号送信部１５とを具備し、上りリンク送信指示部１６は、下りリンク信号送信部１５が第１キャリアにおける下りリンク信号を送信するか否かに基づいて、第１キャリアにおける上りリンク信号及び第２キャリアにおける上りリンク信号の同時送信を指示するか否かについて決定するように構成されていることを要旨とする。
【０３５２】
本実施形態の第７の特徴は、移動通信システム内で、第１キャリア及び第２キャリアを用いて、ユーザ装置ＵＥと無線通信する基地局装置ｅＮＢであって、ユーザ装置ＵＥに対して、第１キャリアにおける上りリンク信号及び第２キャリアにおける上りリンク信号の送信を指示するように構成されている上りリンク送信指示部１６と、ユーザ装置ＵＥから送信される第１キャリアにおける上りリンク信号及び第２キャリアにおける上りリンク信号を受信するように構成されている上りリンク信号受信部１７と、ユーザ装置ＵＥに対して、第１キャリアにおける下りリンク信号及び第２キャリアにおける下りリンク信号を送信するように構成されている下りリンク信号送信部１５とを具備し、上りリンク送信指示部１６は、下りリンク信号送信部１５が第１キャリアにおける下りリンク信号及び第２キャリアにおける下りリンク信号の同時送信を行うか否かに基づいて、第２キャリアにおける上りリンク信号の送信指示を行うか否かについて決定するように構成されていることを要旨とする。
【０３５３】
本実施形態の第５の特徴において、上りリンク送信指示部１６は、下りリンク信号送信部１５が第１キャリアにおける下りリンク信号を送信するタイムフレームにおいて、第２キャリアにおける上りリンク信号の送信指示を行わないように構成されており、下りリンク信号送信部１５が第１キャリアにおける下りリンク信号を送信しないタイムフレームにおいて、第２キャリアにおける上りリンク信号の送信指示を行うように構成されていてもよい。
【０３５４】
本実施形態の第６の特徴において、上りリンク送信指示部１６は、下りリンク信号送信部１５が第１キャリアにおける下りリンク信号を送信するタイムフレームにおいて、第１キャリアにおける上りリンク信号及び第２キャリアにおける上りリンク信号の同時送信を指示しないように構成されており、下りリンク信号送信部１５が第１キャリアにおける下りリンク信号を送信しないタイムフレームにおいて、第１キャリアにおける上りリンク信号及び第２キャリアにおける上りリンク信号の同時送信を指示するように構成されていてもよい。
【０３５５】
本実施形態の第７の特徴において、上りリンク送信指示部１６は、下りリンク信号送信部１５が第１キャリアにおける下りリンク信号及び第２キャリアにおける下りリンク信号の同時送信を行うタイムフレームにおいて、第２キャリアにおける上りリンク信号の送信指示を行わないように構成されており、下りリンク信号送信部１５が第１キャリアにおける下りリンク信号及び第２キャリアにおける下りリンク信号の同時送信を行わないタイムフレームにおいて、第２キャリアにおける上りリンク信号の送信指示を行うように構成されていてもよい。
【０３５６】
本実施形態の第５乃至第７の特徴において、第１キャリアにおける下りリンク信号は、下りリンクの共有チャネル信号、下りリンクのデータチャネル信号、下りリンクの制御チャネル信号、上りリンクの送信を指示する下りリンクの制御信号、下りリンクの送信を通知する下りリンクの制御信号、上りリンクの共有チャネル信号の送達確認情報、Ｓｅｍｉ-ｐｅｒｓｉｓｔｅｎｔ  Ｓｃｈｅｄｕｌｉｎｇが適用される下りリンク信号の少なくとも１つであってもよい。
【０３５７】
本実施形態の第５乃至第７の特徴において、第２キャリアにおける上りリンク信号は、上りリンクの共有チャネル信号、上りリンクのデータチャネル信号、Ｓｅｍｉ-ｐｅｒｓｉｓｔｅｎｔ  Ｓｃｈｅｄｕｌｉｎｇが適用される上りリンク信号の少なくとも１つであってもよい。
【０３５８】
本実施形態の第５の特徴において、上りリンク送信指示部１６は、下りリンク信号送信部１５が第１キャリアにおける下りリンク信号を送信するか否かに加えて、第２キャリアにおける上りリンク信号の送信電力、送信帯域幅、変調方式、送信周波数、ＭＣＳレベル、所要のＳＩＲの少なくとも１つに基づいて、第２キャリアにおける上りリンク信号の送信指示を行うか否かについて決定するように構成されていてもよい。
【０３５９】
本実施形態の第６の特徴において、上りリンク送信指示部１６は、下りリンク信号送信部１５が第１キャリアにおける下りリンク信号を送信するか否かに加えて、第２キャリアにおける上りリンク信号の送信電力、送信帯域幅、変調方式、送信周波数、ＭＣＳレベル、所要のＳＩＲの少なくとも１つに基づいて、第１キャリアにおける上りリンク信号及び第２キャリアにおける上りリンク信号の同時送信を指示するか否かについて決定するように構成されていてもよい。
【０３６０】
本実施形態の第７の特徴において、上りリンク送信指示部１６は、下りリンク信号送信部１５が第１キャリアにおける下りリンク信号及び第２キャリアにおける下りリンク信号の同時送信を行うか否かに加えて、第２キャリアにおける上りリンク信号の送信電力、送信帯域幅、変調方式、送信周波数、ＭＣＳレベル、所要のＳＩＲの少なくとも１つに基づいて、第２キャリアにおける上りリンク信号の送信指示を行うか否かについて決定するように構成されていてもよい。
【０３６１】
本実施形態の第５の特徴において、上りリンク送信指示部１６は、下りリンク信号送信部１５が第１キャリアにおける下りリンク信号を送信するか否かに加えて、ユーザ装置ＵＥと基地局装置ｅＮＢとの間のパスロスに基づいて、第２キャリアにおける上りリンク信号の送信指示を行うか否かについて決定するように構成されていてもよい。
【０３６２】
本実施形態の第６の特徴において、上りリンク送信指示部１６は、下りリンク信号送信部１５が第１キャリアにおける下りリンク信号を送信するか否かに加えて、ユーザ装置ＵＥと基地局装置ｅＮＢとの間のパスロスに基づいて、第１キャリアにおける上りリンク信号及び第２キャリアにおける上りリンク信号の同時送信を指示するか否かについて決定するように構成されていてもよい。
【０３６３】
本実施形態の第７の特徴において、上りリンク送信指示部１６は、下りリンク信号送信部１５が第１キャリアにおける下りリンク信号及び第２キャリアにおける下りリンク信号の同時送信を行うか否かに加えて、ユーザ装置ＵＥと基地局装置ｅＮＢとの間のパスロスに基づいて、第２キャリアにおける上りリンク信号の送信指示を行うか否かについて決定するように構成されていてもよい。
【０３６４】
本実施形態の第８の特徴は、移動通信システム内で、第１キャリア及び第２キャリアを用いて、ユーザ装置ＵＥと基地局装置ｅＮＢとの間で無線通信を行う移動通信方法であって、ユーザ装置ＵＥに対して、第１キャリアにおける上りリンク信号及び第２キャリアにおける上りリンク信号の送信指示を行う工程Ａと、ユーザ装置ＵＥから送信される第１キャリアにおける上りリンク信号及び第２キャリアにおける上りリンク信号を受信する工程Ｂと、ユーザ装置ＵＥに対して、第１キャリアにおける下りリンク信号及び第２キャリアにおける下りリンク信号を送信する工程Ｃとを有し、工程Ａにおいて、工程Ｃにおいて第１キャリアにおける下りリンク信号を送信するか否かに基づいて、第２キャリアにおける上りリンク信号の送信指示を行うか否かについて決定することを要旨とする。
【０３６５】
なお、上述の基地局装置ｅＮＢ及びユーザ装置ＵＥの動作は、ハードウェアによって実施されてもよいし、プロセッサによって実行されるソフトウェアモジュールによって実施されてもよいし、両者の組み合わせによって実施されてもよい。
【０３６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０３６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、基地局装置ｅＮＢ及びユーザ装置ＵＥ内に設けられていてもよい。また、かかる記憶媒体及びプロセッサは、ディスクリートコンポーネントとして基地局装置ｅＮＢ及びユーザ装置ＵＥ内に設けられていてもよい。
【０３６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【産業上の利用可能性】
【０３６９】
以上説明したように、本発明によれば、マルチキャリア伝送を行う場合の、下りリンク信号の劣化を低減することのできる基地局装置及び移動通信方法を提供することができる。
【図１】
0005584226.tif 000002
【図２】
0005584226.tif 000003
【図３】
0005584226.tif 000004
【図４】
0005584226.tif 000005
【図５】
0005584226.tif 000006
【図６】
0005584226.tif 000007
【図７】
0005584226.tif 000008
【図８】
0005584226.tif 000009
【図９】
0005584226.tif 000010
【図１０】
0005584226.tif 000011
【図１１】
0005584226.tif 000012
【図１２】
0005584226.tif 000013
【図１３】
0005584226.tif 000014
【図１４】
0005584226.tif 000015
【図１５】
0005584226.tif 000016
【図１６】
0005584226.tif 000017
【図１７】
0005584226.tif 000018
【図１８】
0005584226.tif 000019
【図１９】
0005584226.tif 000020
【図２０】
0005584226.tif 000021